(57)【特許請求の範囲】
【請求項１】
所定の領域内で種類が異なる特定情報を配信する複数の配信端末装置の配信場所を参加者に探索させ、当該参加者の参加者端末装置に前記特定情報を取得させ、当該取得させた特定情報に従って該当する参加者端末装置に管理者サーバ装置から特典情報を提供する、特典提供システムに用いられる移動配信端末装置において、
前記所定の領域内を移動しつつ前記配信端末装置とは別に情報を前記参加者端末装置に配信する移動配信端末装置であって、
前記配信端末装置から取得した特定情報を示す一次特定情報、又は、当該配信端末装置から取得した一次特定情報とみなされる一次特定情報が記憶される特定情報記憶手段と、
予め定められた距離的範囲内に前記参加者端末装置が存在している場合に、当該参加者端末装置との端末間通信回線を確立させる端末間回線確立手段と、
前記端末間通信回線が確立された通信先としての前記参加者端末装置から、当該参加者端末装置に既に記憶されている一次特定情報の取得に関する履歴情報を取得する履歴情報取得手段と、
前記通信先の参加者端末装置から取得した履歴情報と自機の特定情報記憶手段に記憶されている一次特定情報の種別に基づいて、前記通信先の参加者端末装置への情報の配信の可否を判断する配信可否判断手段と、
前記配信可否判断手段によって、前記通信先の参加者端末装置へ情報を配信することが可能と判断された場合に、前記自機の特定情報記憶手段に記憶されている一次特定情報に関する情報を、当該通信先の参加者端末装置に二次特定情報として配信する配信手段と、
を備え、
前記二次特定情報が、前記通信先の参加者端末装置にてＮ個の同一種類の二次特定情報（Ｎは２以上の自然数）が取得されている場合には前記配信端末装置から取得した一次特定情報を取得したものとみなす、前記一次特定情報の取得したものとみなす判断に用いられる情報であることを特徴とする移動配信端末装置。
【請求項２】
請求項１に記載の移動配信端末装置において、
他の移動配信端末装置と識別するための装置識別情報が記録されている装置識別情報記憶手段を更に備え、
前記履歴情報には、前記通信先の参加者端末装置が既に取得している前記二次特定情報を配信した配信元としての移動配信端末装置の装置識別情報を示す配信元識別情報、及び、当該配信元の移動配信端末装置が一以上の参加者端末装置へ二次特定情報を配信した配信回数情報が含まれており、
前記配信可否判断手段が、前記装置識別情報記憶手段に記憶された装置識別情報と、前記通信先としての参加者端末装置から取得した履歴情報に含まれる配信元識別情報及び前記配信回数情報と、を比較し、当該自機の移動配信端末装置によって前記通信先としての参加者端末装置に二次特定情報が配信された回数が予め規定された回数以上の場合に、前記二次特定情報を前記参加者端末装置に配信不可能と判断する、移動配信端末装置。
【請求項３】
請求項１に記載の移動配信端末装置において、
他の移動配信端末装置と識別するための装置識別情報が記録されている装置識別情報記憶手段を更に備え、
前記取得した履歴情報には、前記通信先の参加者端末装置が既に取得している前記二次特定情報を配信した配信元としての移動配信端末装置の装置識別情報を示す配信元識別情報、及び、前記配信元の移動配信端末装置によって前記通信先の参加者端末装置へ二次特定情報を最後に配信した際の時刻情報が含まれており、
前記配信可否判断手段が、前記装置識別情報記憶手段に記憶された装置識別情報と、現在時刻と、前記通信先としての参加者端末装置から取得した履歴情報に含まれる前記配信元識別情報及び時刻情報を比較し、当該移動配信端末装置によって二次特定情報が最後に配信された時刻から所定の時間内の場合に、前記二次特定情報を前記参加者端末装置に配信不可能と判断する、移動配信端末装置。
【請求項４】
請求項１乃至３の何れか一項に記載の移動配信端末装置において、
前記特定情報記憶手段に記憶されている一次特定情報が２以上の場合に、
前記配信手段が、前記通信先の参加者端末装置が既に取得している一次特定情報の種別に基づいて、前記特定情報記憶手段に記憶されている２以上の一次特定情報から一の前記一次特定情報を決定し、当該決定した一次特定情報に関する情報を、当該通信先の参加者端末装置に二次特定情報として配信する、移動配信端末装置。
【請求項５】
所定の領域内で種類が異なる特定情報を配信する複数の配信端末装置の配信場所を参加者に探索させ、当該参加者の参加者端末装置に前記特定情報を取得させ、当該取得させた特定情報に従って該当する参加者端末装置に前記管理サーバ装置から特典情報を提供する、特典提供システムにおける当該参加者が用いる参加者端末装置であって、
前記所定の領域内を移動しつつ前記配信端末装置とは別に情報を配信する請求項１〜４に記載の移動配信端末装置が一定の範囲内に存在している場合に、通信先として当該移動配信端末装置との端末間通信回線を確立させる端末間回線確立手段と、
前記配信端末装置から取得した特定情報を示す一次特定情報、又は、当該配信端末装置から取得した一次特定情報とみなされる一次特定情報が記憶されるとともに、当該一次特定情報に関する情報が二次特定情報として記憶される特定情報記憶手段と、
他の参加者端末装置と識別するための装置識別情報が記憶される装置識別情報記憶手段と、
前記特定情報記憶手段に既に記憶されている一次特定情報の取得に関する履歴情報を、前記記憶されている装置識別情報とともに前記通信先の移動配信端末装置に提供する提供手段と、
前記通信先としての移動配信端末装置から、前記提供した履歴情報に基づいて配信された二次特定情報を取得する二次特定情報取得手段と、
Ｎ個の同種の二次特定情報（Ｎは２以上の自然数）を取得した際に、当該二次特定情報に対応した一次特定情報を、前記配信端末装置から取得したものとみなす判断を行う一次特定情報取得手段と、
前記特典情報を取得するために一次特定情報及び二次特定情報の取得状況を管理する管理手段と、
を備えることを特徴とする参加者端末装置。
【請求項６】
請求項５に記載の参加者端末装置において、
前記移動配信端末装置から二次特定情報を取得する毎に、予め定められた複数の種類の一次特定情報を取得したか否かを判断する種別数判断手段と
前記予め定められた種類の一次特定情報を取得したと判断した場合に、前記特典提供システムを管理する管理サーバ装置から前記参加者が特典を得たことを示す特典情報を取得する特典情報取得手段と、
前記取得した特典情報を表示する表示手段と、
を更に備える参加者端末装置
【請求項７】
請求項５または６に記載の参加者端末装置において、
前記移動配信端末装置が他の移動配信端末装置と識別するための装置識別情報を有しており、
前記履歴情報には、自機の参加者端末装置が取得した二次特定情報を提供した提供元としての移動配信端末装置の装置識別情報を示す提供元識別情報、及び、当該提供元の移動配信端末装置が二次特定情報を当該参加者端末装置に提供した提供回数情報が含まれる参加者端末装置。
【請求項８】
請求項５または６に記載の参加者端末装置において、
前記移動配信端末装置が他の移動配信端末装置と識別するための装置識別情報を有しており、
前記履歴情報には、自機の参加者端末装置が取得した二次特定情報を提供した提供元としての移動配信端末装置の装置識別情報を示す提供元識別情報、及び、前記提供元の移動配信端末装置によって二次特定情報が最後に配信された時刻を示す最終配信時刻情報が含まれる参加者端末装置。
【請求項９】
請求項５乃至８の何れか一項に記載の参加者端末装置において、
所定の被写範囲を撮像する撮像手段と、
前記撮像手段の撮像方向を検出する撮像方向検出手段と
前記撮像時に現在位置を検出する位置情報検出手段と、
前記検出された撮像方向と現在位置の情報を管理サーバ装置に送信する送信手段と、
前記管理サーバ装置が前記撮像方向と現在位置の情報に基づいて所定の距離的範囲内であって前記撮像手段が撮像する被写範囲に存在する移動配信端末装置を検出し、当該検出された移動配信端末装置の前記撮像時の現在位置から当該参加者端末装置までの距離及び方向を算出した場合に、当該検出された移動配信端末装置に記憶されている装置識別情報及び一次特定情報と、算出した距離及び方向と、を移動配信端末情報として管理サーバ装置から取得する移動配信端末情報取得手段と、
前記取得した移動配信端末情報に基づいて前記撮像された被写範囲内であって前記移動配信端末装置が存在する方向に当該移動配信端末装置が有する二次特定情報を示すタグを重畳させて表示手段に表示させる表示制御手段と、
を更に備える参加者端末装置。
【請求項１０】
請求項９に記載の参加者端末装置において、
前記表示手段が、前記移動配信端末装置の距離に応じて前記タグの表示を変化させる参加者端末装置。
【請求項１１】
請求項５乃至１０の何れか一項に記載の参加者端末装置において、
請求項１〜４に記載された移動配信端末装置として機能する参加者端末装置。
【請求項１２】
所定の領域内で種類が異なる特定情報を配信する複数の配信端末装置の配信場所を参加者に探索させ、当該参加者の参加者端末装置に前記特定情報を取得させ、当該取得させた特定情報に従って該当する参加者端末装置に管理者サーバ装置から特典情報を提供する、特典提供システムに用いられる移動配信端末装置に搭載されるプログラムにおいて、
前記所定の領域内を移動する前記移動配信端末装置によって、前記配信端末装置とは別に情報を前記参加者端末装置に配信するための特定情報配信プログラムであって、
前記移動配信端末装置を、
予め定められた距離的範囲内に前記参加者端末装置が存在している場合に、当該参加者端末装置との端末間通信回線を確立させる端末間回線確立制御手段、
前記端末間通信回線が確立された通信先としての参加者端末装置から、当該参加者端末装置に既に記憶されている一次特定情報の取得に関する履歴情報を取得する履歴情報取得手段、
自機の特定情報記憶手段に記憶されており、前記配信端末装置から取得した特定情報を示す一次特定情報、又は、当該配信端末装置から取得した一次特定情報とみなされる一次特定情報の種別と前記通信先の参加者端末装置から取得した履歴情報とに基づいて、前記通信先の参加者端末装置への情報の配信の可否を判断する配信可否判断手段、
前記配信可否判断手段によって、前記通信先の参加者端末装置へ情報を配信することが可能と判断された場合に、前記自機の特定情報記憶手段に記憶されている一次特定情報に関する情報を、当該通信先の参加者端末装置に二次特定情報として配信する配信手段、
として機能させるとともに、
前記二次特定情報が、前記通信先の参加者端末装置にてＮ個の同一種類の二次特定情報（Ｎは２以上の自然数）が取得されている場合には前記配信端末装置から取得した一次特定情報を取得したものとみなす、前記一次特定情報の取得したものとみなす判断に用いられる情報であることを特徴とする特定情報配信プログラム。
【請求項１３】
所定の領域内で種類が異なる特定情報を配信する複数の配信端末装置の配信場所を参加者に探索させ、当該参加者の参加者端末装置に前記特定情報を取得させ、当該取得させた特定情報に従って該当する参加者端末装置に前記管理サーバ装置から特典情報を提供する、特典提供システムにおける当該参加者が用いる参加者端末装置に搭載される参加者端末プログラムであって、
前記参加者端末装置を、
前記所定の領域内を移動しつつ前記配信端末装置とは別に情報を配信する請求項１〜４に記載の移動配信端末装置が一定の範囲内に存在している場合に、通信先として当該移動配信端末装置との端末間通信回線を確立させる端末間回線確立手段と、
前記配信端末装置から取得した特定情報を示す一次特定情報、又は、当該配信端末装置から取得した一次特定情報とみなされる一次特定情報を特定情報記憶手段に記憶するとともに、当該一次特定情報に関する情報を二次特定情報として特定情報記憶手段に記憶する特定情報記憶制御手段、
前記特定情報記憶手段に既に記憶されている一次特定情報の取得に関する履歴情報を、装置識別情報記憶手段に記憶されている装置識別情報とともに前記通信先の移動配信端末装置に提供する提供手段、
前記通信先としての移動配信端末装置から、前記提供した履歴情報に基づいて配信された二次特定情報を取得する二次特定情報取得手段、
Ｎ個の同種の二次特定情報（Ｎは２以上の自然数）を取得した際に、当該二次特定情報に対応した一次特定情報を、前記配信端末装置から取得したものとみなす判断を行う一次特定情報取得手段、及び、
前記特典情報を取得するために一次特定情報及び二次特定情報の取得状況を管理する管理手段、
として機能することを特徴とする参加者端末プログラム。
【請求項１４】
請求項１３に記載の参加者端末プログラムにおいて、
前記移動配信端末装置が他の参加者端末装置であって、
前記参加者端末装置を、
前記端末間通信回線が確立された通信先としての前記他の参加者端末装置から、当該参加者端末装置に既に記憶されている一次特定情報の取得に関する履歴情報を取得する履歴情報取得手段、
前記通信先の他の参加者端末装置から取得した履歴情報と自機の特定情報記憶手段に記憶されている一次特定情報の種別に基づいて、前記通信先の他の参加者端末装置への情報の配信の可否を判断する配信可否判断手段、
前記配信可否判断手段によって、前記通信先の他の参加者端末装置へ情報を配信することが可能と判断された場合に、前記自機の特定情報記憶手段に記憶されている一次特定情報に関する情報を二次特定情報として配信する配信手段、
として機能させる参加者端末プログラム。
【発明の詳細な説明】
【技術分野】
【０００１】
本発明は、特定のデータを送受信してデータ収集を行う端末装置及びそれを用いたイベント支援システムの技術分野に属する。
【背景技術】
【０００２】
近年、携帯用電話機またはＰＤＡ（Ｐｅｒｓｏｎａｌ  Ｄｉｇｉｔａｌ  Ａｓｓｉｓｔａｎｔｓ）などの携帯用通信端末装置の発達により、屋内外の場所を選ばず、データ通信を行うことが一般的になってきている。また、有線及び無線を問わず、かつ、インターネット及び移動公衆通信網に代表される広域ネットワーク及び家庭内、事業所内、施設内などに代表されるローカルエリアネットワークなど、様々な地域または空間において、ネットワークが構築されている。
【０００３】
このような状況下において、スタンプラリー、割引クーポンの発行または当該割引クーポンの発行のためのポイントサービスなど、管理・運営が容易となるとともに、スタンプの押し間違いなどによる不具合の発生及びスタンプの捺印における不正を防ぐことができることから、今まで紙媒体及び所定のスタンプを用いて行われていた集客サービスについても、電子化及びネットワーク化されたものが普及され始めている。特に、このような電子化及びネットワーク化されたサービスにおいては、来店者若しくは来訪者が携帯している携帯用電話機に代表される携帯用端末装置または入場券のチケット、クレジットカード若しくは電子マネーとして機能するＩＣカードなどの各種の携帯用通信端末装置を利用し、かつ、各種のネットワークを介して当該携帯用端末装置に種々のデータを配信して上記のサービスを電子的に提供するようになっている。
【０００４】
例えば、ネットワークを用いた電子的なスタンプラリーシステムは、個々の携帯用端末装置における識別情報（すなわち、ユーザＩＤ）と施設内の所定の場所に設置され、携帯用端末装置のユーザＩＤを読み込むスタンプ端末装置の識別情報（すなわち、スタンプ端末ＩＤ）を管理する管理サーバ装置を有したものが知られている（例えば、特許文献１）。特に、このスタンプラリーシステムは、当該ユーザＩＤの履歴及び当該履歴に伴う提供すべき情報を管理しつつ、所定の情報を携帯用端末装置に提供するようになっている。そして、このスタンプラリーシステムは、スタンプラリーの参加者における収集したスタンプの管理を容易にすることができるとともに、参加者それぞれの状況に応じた情報を提供すること及び参加者の収集したスタンプのデータに基づいて参加者の回遊軌跡を解析することができるようになっている。
【０００５】
一方、最近では、情報交換などゲーム機同士または携帯用電話機同士など携帯用端末装置同士においても赤外線通信またはＢＬＵＥＴＯＯＴＨ（登録商標）などによって個々にデータの授受が一般的に行われている。特に、最近では、同種のゲーム機同士において、所定の条件の下、物理的に接近してきた携帯用端末装置と無作為にデータ授受が行われるものも知られている（例えば、特許文献２）。この携帯用端末装置は、同一の機種との頻繁な情報交換を防止するために、情報交換履歴に基づいて同一機種との情報交換を制限するようになっている。
【先行技術文献】
【特許文献】
【０００６】
【特許文献１】特開２００５−６３１９３号公報
【特許文献２】特開２００７−１４２６１３号公報
【発明の概要】
【発明が解決しようとする課題】
【０００７】
しかしながら、そもそも、スタンプラリーなどのゲーム性を有するイベントまたは特典を参加者に提供するサービスにおいては、多くのものが既に存在しており、イベントとしての魅力が低くなっているので、特許文献１に記載されたシステムのように、スタンプラリーまたはポイントサービスなどを電子化及びネットワーク化したとしても、非積極的な参加者に対してもサービスにおける興趣性を向上させて積極的な参加者を増加させることが難しい。特に、特許文献１に記載されたシステムのように、電子化及びネットワーク化したスタンプラリーにおいては、スタンプ端末装置の探索に多大な労力が必要となる場合もあり、最後までスタンプラリーへの興趣を維持させることが難しい場合も多い。
【０００８】
一方、特許文献２に記載の携帯用端末装置にあっては、携帯用端末装置同士における情報交換に制限を設けているだけで、当該携帯用端末装置同士の通信を上述のサービスシステムに連動させることについては言及がない。また、この携帯用端末装置にあっては、携帯用端末装置同士によって取得した情報を上述のサービスにおける適用方法についても言及がない。
【０００９】
本発明は、上記課題を解決するためになされたものであり、その目的は、スタンプラリーなどの参加者が取得した特定情報の取得に応じて当該参加者に特典を提供すイベントにおいて、参加者へ電子化された情報を提供することによる利便性を維持しつつ、イベントへの参加者の数及びその参加時間を増加させることができるとともに、所定領域内における参加者の周回性を向上させることができる移動配信端末装置及び参加者端末装置等を提供することにある。
【課題を解決するための手段】
【００１０】
（１）上記課題を解決するため、本発明の移動配信端末装置は、所定の領域内で提供される種類が異なる複数の特定情報を、当該特定情報の提供地を探索させつつ、参加者の参加者端末装置に取得させ、当該取得した特定情報に従って前記参加者に特典を提供する特典提供システムに用いられる移動配信端末装置において、前記所定の領域内を移動しつつ前記提供地とは別に前記特定情報を前記参加者端末装置に配信する移動配信端末装置であって、前記提供地にて提供されている特定情報を示す一次特定情報の複数のうち少なくとも何れか一の一次特定情報と同一種別の特定情報が記憶される特定情報記憶手段と、予め定められた距離的範囲内に前記参加者端末装置が存在している場合に、当該参加者端末装置との端末間通信回線を確立させる端末間回線確立手段と、前記端末間通信回線が確立された通信先としての参加者端末装置から、当該参加者端末装置に既に記憶されている特定情報の取得に関する履歴情報を取得する履歴情報取得手段と、前記取得した履歴情報と前記記憶されている特定情報の種別に基づいて、当該特定情報における前記参加者端末装置への配信の可否を判断する配信可否判断手段と、前記配信可否判断手段によって前記特定情報の配信が可能と判断された場合に、当該特定情報を前記参加者端末装置に二次特定情報として配信する配信手段と、を備え、前記配信される二次特定情報が、Ｎ個の同種の二次特定情報（Ｎは２以上の自然数）を取得した際に当該二次特定情報と同種の１の一次特定情報が取得されたものとみなされる特性を有する構成を備えている。
【００１１】
この構成により、本発明の移動配信端末装置は、所定の距離的範囲内に参加者端末装置が存在すると、二次特定情報における参加者端末装置への配信の可否判断に基づいて当該二次特定情報を参加者端末装置に配信することができる。
【００１２】
すなわち、本発明は、参加者端末装置が所定の距離的範囲内に存在した場合に、所定の条件を具備すれば、一次特定情報として特定情報が提供されている提供地の探索を実行せずに特定情報を参加者端末装置に取得させることができるので、参加者に対して提供地の探索の労苦によってイベントに対する興趣性の喪失を防止すること、それによりイベントへの参加を維持させること、及び、提供地の探索を煩雑と捉えるイベントへの非積極的な参加者に対しても煩雑さを解消させて当該イベントに積極的に参加させることができる。したがって、本発明は、参加者数の増加及び参加時間の増加に基づいて所定の領域内における参加者の周回性を向上させることができる。
【００１３】
また、本発明は、二次特定情報の参加者端末装置への配信が可能と判断した場合に、Ｎ個の同種の二次特定情報（Ｎは２以上の自然数）を取得した際に当該二次特定情報と同種の１の一次特定情報が取得されたものとみなされる特性を有する特定情報を参加者端末装置に配信することができるので、提供地を探索した参加者の労苦に対してインセンティブを与えることができる。
【００１４】
この結果、本発明は、参加者へ電子化された情報を提供することによる利便性を維持しつつ、イベントへの興趣性を損なうことなく、参加者数を増加させること、各参加者のイベントへの参加時間を増加させること及び参加者数の増加及び参加時間の増加に基づいて所定の領域内における参加者の周回性を向上させることができる。
【００１５】
（２）また、本発明の移動配信端末装置は、他の移動配信端末装置と識別するための装置識別情報が記録されている装置識別情報記憶手段を更に備え、前記履歴情報には、前記通信先の参加者端末装置が既に取得している前記取得済みの二次特定情報を提供した提供元としての移動配信端末装置の装置識別情報を示す提供元識別情報、及び、当該提供元の移動配信端末装置が前記通信先の参加者端末装置へ二次特定情報を提供した提供回数情報が含まれており、前記配信可否判断手段が、前記装置識別情報記憶手段に記憶された装置識別情報と前記受信した履歴情報に含まれる提供元識別情報及び前記提供回数情報とを比較し、当該移動配信端末装置によって二次特定情報が配信された回数が予め規定された回数以上の場合に、前記二次特定情報を前記参加者端末装置に配信不可能と判断する構成を有している。
【００１６】
この構成により、本発明の移動配信端末装置は、参加者端末装置への二次特定情報の提供回数に基づいて当該二次特定情報の提供を制限させることができるとともに、参加者端末装置における特定情報の取得に対する難易度を調整することができるので、イベント全体としての興趣性の維持またはその向上を図ることができる。
【００１７】
（３）また、本発明の移動配信端末装置は、別情報記憶手段を更に備え、前記履歴情報には、前記通信先の参加者端末装置が既に取得している前記取得済みの二次特定情報を提供した提供元としての移動配信端末装置の装置識別情報を示す提供元識別情報、及び、前記提供元の移動配信端末装置によって前記通信先の参加者端末装置へ二次特定情報を最後に提供した際の時刻情報が含まれており、前記配信可否判断手段が、前記装置識別情報記憶手段に記憶された装置識別情報と、現在時刻と、前記受信した履歴情報に含まれる前記提供元識別情報及び時刻情報を比較し、当該移動配信端末装置によって二次特定情報が最後に配信された時刻から所定の時間内の場合に、前記配信データを前記参加者端末装置に配信不可能と判断する構成を有している。
【００１８】
この構成により、本発明の移動配信端末装置は、参加者端末装置への二次特定情報の一定時間内のアクセス規制に基づいて当該二次特定情報の提供を制限させることができるとともに、参加者端末装置における特定情報の取得に対する難易度を調整することができるので、イベント全体としての興趣性の維持またはその向上を図ることができる。
【００１９】
（４）また、本発明の移動配信端末装置は、前記二次特定情報記憶手段に記憶されている特定情報が２以上の場合に、前記配信手段が、前記通信先の参加者端末装置が既に取得している取得済みの一次特定情報の種別に基づいて、一の前記特定情報を決定し、当該決定した特定情報を二次特定情報として当該参加者端末装置に配信する構成を有している。
【００２０】
この構成により、本発明の移動配信端末装置は、通信先の参加者端末装置が既に取得している取得済みの一次特定情報の種別に基づいて、配信する二次特定情報の種別を決定するので、通信先の参加者端末装置が不要な二次特定情報の送信を回避し、かつ、当該通信先の参加者端末装置が取得を希望していると想定される特定情報を二次特定情報としてする提供することができる。
【００２１】
（５）上記課題を解決するため、本発明の参加者端末装置は、所定の領域内で提供される種類が異なる複数の特定情報を、当該特定情報の提供地を探索させつつ、参加者に取得させるとともに、当該取得した特定情報に対応させて前記参加者に特典を提供する特典提供システムにおける当該参加者が用いる参加者端末装置であって、前記所定の領域内を移動しつつ前記提供地とは別に前記特定情報を配信する請求項１〜４に記載の移動配信端末装置が一定の範囲内に存在している場合に、通信先として当該移動配信端末装置との端末間通信回線を確立させる端末間回線確立手段と、前記提供地にて提供されている特定情報が一次特定情報として記憶されるとともに、前記一次特定情報の何れかと同一種別の特定情報が二次特定情報として記憶される特定情報記憶手段と、他の参加者端末装置と識別するための装置識別情報が記憶される装置識別情報記憶手段と、前記特定情報記憶手段に既に記憶されている取得済み二次特定情報の取得に関する履歴情報を、前記記憶されている装置識別情報とともに前記通信先の参加者端末装置に提供する提供手段と、前記通信先としての前記移動配信端末装置から前記提供した履歴情報に基づいて配信された二次特定情報を取得する二次特定情報取得手段と、所定の条件の下に前記一次特定情報を取得する一次特定情報取得手段と、前記特典を取得するために一次特定情報及び二次特定情報の取得状況を管理する管理手段と、を備え、前記取得した二次特定情報が、Ｎ個の同種の二次特定情報（Ｎは２以上の自然数）を取得した際に当該二次特定情報と同種の１の一次特定情報が取得されたものとみなされる特性を有する構成を備えている。
【００２２】
この構成より、本発明の参加者端末装置は、所定の距離的範囲内に移動配信端末装置が存在し、二次特定情報における参加者端末装置への配信が可能であると判断されると、二次特定情報を取得することができる。
【００２３】
すなわち、本発明は、移動配信端末装置が所定の距離的範囲内に存在した場合に、所定の条件を具備すれば、一次特定情報として特定情報が提供されている提供地の探索を実行せずに特定情報を取得することができるので、参加者に対して提供地の探索の労苦によってイベントに対する興趣性の喪失を防止すること、それによりイベントへの参加を維持させること、及び、提供地の探索を煩雑と捉えるイベントへの非積極的な参加者に対しても煩雑さを解消させて当該イベントへ積極的に参加させることができる。したがって、本発明は、参加者数の増加及び参加時間の増加に基づいて所定の領域内における参加者の周回性を向上させることができる。
【００２４】
また、本発明は、Ｎ個の同種の二次特定情報（Ｎは２以上の自然数）を取得した際に当該二次特定情報と同種の１の一次特定情報が取得されたものとみなされる特性を有する二次特定情報を取得するので、提供地を探索した参加者の労苦に対してインセンティブを与えることができる。
【００２５】
この結果、本発明は、参加者へ電子化された情報を提供することによる利便性を維持しつつ、イベントへの興趣性を損なうことなく、参加者数を増加させること、各参加者のイベントへの参加時間を増加させること及び参加者数の増加及び参加時間の増加に基づいて所定の領域内における参加者の周回性を向上させることができる。
【００２６】
（６）また、本発明の参加者端末装置は、前記移動配信端末装置から二次特定情報を取得する毎に、前記二次特定情報におけるみなし取得を含み、予め定められた複数の種類の一次特定情報を取得したか否かを判断する種別数判断手段と、前記予め定められた種類の一次特定情報を取得したと判断した場合に、前記特典情報提供システムを管理する管理サーバ装置から前記参加者が特典を得たことを示す特典情報を取得する特典情報取得手段と、前記取得した特典情報を表示する表示手段と、を更に備える構成を有している。
【００２７】
この構成により、本発明は、取得した二次特定情報を取得しても所定の条件を満たせば、特典情報を取得して表示することができるので、参加者に対して提供地の探索の労苦によってイベントに対する興趣性の喪失を防止すること、それによりイベントへの参加を維持させること、及び、提供地の探索を煩雑と捉えるイベントへの非積極的な参加者に対しても煩雑さを解消させて当該イベントへ積極的に参加させることができる。
【００２８】
（７）また、本発明の参加者端末装置は、前記移動配信端末装置が他の移動配信端末装置と識別するための装置識別情報を有しており、前記履歴情報には、前記取得済みの二次特定情報を提供した提供元としての移動配信端末装置の装置識別情報を示す提供元識別情報、及び、当該提供元の移動配信端末装置が二次特定情報を当該参加者端末装置に提供した提供回数情報が含まれる構成を有している。
【００２９】
この構成により、一の移動配信端末装置における参加者端末装置への二次特定情報の提供回数を制限するなど当該提供回数に基づいて移動配信端末装置における二次特定情報の配信が制限されるので、本発明の参加者端末装置は、特定情報の取得に対する難易度を調整することができるとともに、イベント全体としての興趣性の維持またはその向上を図ることができる。
【００３０】
（８）また、本発明の参加者端末装置は、前記移動配信端末装置が他の移動配信端末装置と識別するための装置識別情報を有しており、前記履歴情報には、前記取得済みの二次特定情報を提供した提供元としての移動配信端末装置の装置識別情報を示す提供元識別情報、及び、前記提供元の移動配信端末装置によって二次特定情報が最後に配信された時刻を示す最終配信時刻情報が含まれる構成を有している。
【００３１】
この構成により、本発明の参加者端末装置は、移動配信端末装置における参加者端末装置への二次特定情報の提供後における一定時間内の再度の二次特定情報の提供を制限するなど二次特定情報の最終配信時刻に基づいて移動配信端末装置における当該二次特定情報の配信が制限されるので、特定情報の取得に対する難易度を調整することができるとともに、イベント全体としての興趣性の維持またはその向上を図ることができる。
【００３２】
（９）また、本発明の参加者端末装置は、所定の被写範囲を撮像する撮像手段と、
前記撮像手段の撮像方向を検出する撮像方向検出手段と前記撮像時に現在位置を検出する位置情報検出手段と、前記検出された撮像方向と現在位置の情報を管理サーバ装置に送信する送信手段と、前記管理サーバ装置が前記撮像方向と現在位置の情報に基づいて所定の距離的範囲内であって前記撮像手段が撮像する被写範囲に存在する移動配信端末装置を検出し、当該検出された移動配信端末装置の前記撮像時の現在位置から当該参加者端末装置までの距離及び方向を算出した場合に、当該検出された移動配信端末装置の装置識別情報及び取得済みの一次特定情報と、算出した距離及び方向と、を移動配信端末情報として管理サーバ装置から取得する移動配信端末情報取得手段と、前記取得した移動配信端末情報に基づいて前記撮像された被写範囲内であって前記移動配信端末装置が存在する方向に当該移動配信端末装置が有する二次特定情報を示すタグを重畳させて表示手段に表示させる表示制御手段と、を更に備える構成を有している。
【００３３】
この構成により、本発明の参加者端末装置は、撮像方向に存在する移動配信端末装置の位置と当該移動配信端末装置が有する特定情報の種別を参加者に認識させることができるとともに、移動配信端末装置、すなわち、特定情報の提供元を探索するという新たなゲーム性を導入することができる。したがって、本発明は、提供地の探索よりも簡易に特定情報の提供元の探索及び発見を行うことができるとともに、特定情報の取得に対する難易度を高くすることなく、新たなゲーム性を導入することができるので、イベント全体としての興趣性の維持またはその向上を図ることができる。
【００３４】
（１０）また、本発明の参加者端末装置は、前記表示手段が、前記移動配信端末装置の距離に応じて前記タグの表示を変化させる構成を有している。
【００３５】
この構成により、本発明の参加者端末装置は、撮像方向に存在する移動配信端末装置の位置と当該移動配信端末装置が有する特定情報の種別を容易に参加者に認識させることができる。
【００３６】
（１１）また、本発明の参加者端末装置は、上記の移動配信端末装置として機能する構成を有している。
【００３７】
この構成により、本発明の参加者端末装置は、参加者端末装置が移動配信装置でもあり、参加者の周回性が向上すれば、多くの参加者が特定情報を取得することができるので、特定情報を取得する確率が高くなるとともに、参加者を探索する新たなゲーム性を参加者に提供することができる。
【００３８】
（１２）上記課題を解決するため、本発明の特定情報配信プログラムは、所定の領域内で提供される種類が異なる複数の特定情報を、当該特定情報の提供地を探索させつつ、参加者の参加者端末装置に取得させ、当該取得した特定情報に従って前記参加者に特典を提供する特典提供システムに用いられる移動配信端末装置に搭載されるプログラムにおいて、前記所定の領域内を移動する前記移動配信端末装置によって、前記提供地とは別に前記特定情報を前記参加者端末装置に配信するための特定情報配信プログラムであって、前記移動配信端末装置を、予め定められた距離的範囲内に前記参加者端末装置が存在している場合に、当該参加者端末装置との端末間通信回線を確立させる端末間回線確立制御手段、前記端末間通信回線が確立された通信先としての参加者端末装置から、当該参加者端末装置に既に記憶されている特定情報の取得に関する履歴情報を取得する履歴情報取得手段、特定情報記憶手段に記憶されている前記提供地にて提供されている特定情報を示す一次特定情報の複数のうち少なくとも何れか一の一次特定情報と同一種別の特定情報の種別と前記取得した履歴情報とに基づいて、当該特定情報における前記参加者端末装置への配信の可否を判断する配信可否判断手段、前記配信可否判断手段によって前記特定情報の配信が可能と判断された場合に、当該特定情報を当該参加者端末装置に二次特定情報として配信する配信手段、として機能させるとともに、前記配信される二次特定情報が、Ｎ個の同種の二次特定情報（Ｎは２以上の自然数）を取得した際に当該二次特定情報と同種の１の一次特定情報が取得されたものとみなされる特性を有する構成を備えている。
【００３９】
この構成により、上記特定情報配信プログラムを移動配信装置にインストールすることにより、本発明に係る移動配信装置を構成させることができるので、提供地を探索した参加者の労苦に対してインセンティブを与えつつ、イベントへの参加者数を増加させること及び各参加者のイベントへの参加時間を増加させることができるとともに、参加者数の増加及び参加時間の増加に基づいて所定の領域内における参加者の周回性を向上させることができる。
【００４０】
（１３）上記課題を解決するため、本発明の参加者端末プログラムは、所定の領域内で提供される種類が異なる複数の特定情報を、当該特定情報の提供地を探索させつつ、参加者に取得させるとともに、当該取得した特定情報に対応させて前記参加者に特典を提供する特典提供システムにおける当該参加者が用いる参加者端末装置に搭載される参加者端末プログラムであって、前記参加者端末装置を、前記所定の領域内を移動しつつ前記提供地とは別に前記特定情報を配信する請求項１〜５に記載の移動配信端末装置が一定の範囲内に存在している場合に、通信先として当該移動配信端末装置との端末間通信回線を確立させる端末間回線確立制御手段、前記提供地にて提供されている特定情報を一次特定情報として特定情報記憶手段に記憶するとともに、前記一次特定情報の何れかと同一種別の特定情報を二次特定情報として特定情報記憶手段に記憶する特定情報記憶制御手段、前記特定情報記憶手段に既に記憶されている取得済み二次特定情報の取得に関する履歴情報を、装置識別情報記憶手段に記憶されている装置識別情報とともに、前記通信先の参加者端末装置に提供する提供手段、通信先としての前記移動配信端末装置から前記提供した履歴情報に基づいて配信された二次特定情報を取得する二次特定情報取得手段、所定の条件の下に前記一次特定情報を取得する一次特定情報取得手段、前記特典を取得するために一次特定情報及び二次特定情報の取得状況を管理する管理手段、として機能するとともに、前記取得した二次特定情報が、Ｎ個の同種の二次特定情報（Ｎは２以上の自然数）を取得した際に当該二次特定情報と同種の１の一次特定情報が取得されたものとみなされる特性を有する構成を備えている。
【００４１】
この構成により、上記参加者端末プログラムを参加者端末装置にインストールすることにより、本発明に係る参加者端末装置を構成させることができるので、提供地を探索した参加者の労苦に対してインセンティブを与えつつ、イベントへの参加者数を増加させること及び各参加者のイベントへの参加時間を増加させることができるとともに、参加者数の増加及び参加時間の増加に基づいて所定の領域内における参加者の周回性を向上させることができる。
【００４２】
また、本発明の参加者端末プログラムは、前記移動配信端末装置が他の参加者端末装置であって、前記参加者端末装置を、前記端末間通信回線が確立された通信先としての前記他の参加者端末装置から、当該参加者端末装置に既に記憶されている特定情報の取得に関する履歴情報を取得する履歴情報取得手段、前記特定情報記憶手段に記憶されている前記提供地にて提供されている特定情報を示す一次特定情報の複数のうち少なくとも何れか一の一次特定情報と同一種別の特定情報の種別と前記取得した履歴情報とに基づいて、当該特定情報における前記参加者端末装置への配信の可否を判断する配信可否判断手段、前記配信可否判断手段によって前記特定情報の配信が可能と判断された場合に、当該特定情報を当該参加者端末装置に二次特定情報として配信する配信手段、として機能させる構成を有している。
【００４３】
この構成により、上記参加者端末プログラムを参加者端末装置にインストールすることにより、本発明に係る参加者端末装置を構成させることができるので、参加者端末装置が移動配信装置でもあり、参加者の周回性が向上すれば、多くの参加者が特定情報を取得することができるので、特定情報を取得する確率が高くなるとともに、参加者を探索する新たなゲーム性を参加者に提供することができる。
【発明の効果】
【００４４】
本発明の移動配信端末装置、参加者端末装置、特定情報配信プログラム及び参加者端末プログラムは、参加者へ電子化された情報を提供することによる利便性を維持しつつ、イベントへの興趣性を損なうことなく、参加者数を増加させること、各参加者のイベントへの参加時間を増加させること及び参加者数の増加及び参加時間の増加に基づいて所定の領域内における参加者の周回性を向上させることができる。
【図面の簡単な説明】
【００４５】
【図１】本発明に係るスタンプラリー支援システムの一実施形態におけるシステム構成図である。
【図２】一実施形態の各携帯用端末装置の構成を示すブロック図である。
【図３】一実施形態における各携帯用端末装置において、データ記憶部に記憶されたスタンプ管理情報の一例である。
【図４】一実施形態における各携帯用端末装置において、撮像カメラ部にスタンプ情報取得状況情報を重畳表示した場合の一例である。
【図５】一実施形態の管理サーバ装置の構成を示すブロック図である。
【図６】一実施形態の管理サーバ装置において、データベースに記憶されるスタンプラリーの管理情報の一例である
【図７】一実施形態の携帯用端末装置、スタンプ端末装置及び管理サーバ装置において、近距離無線通信を用いた場合におけるそれぞれの一次スタンプ情報取得処理の動作を示すフローチャートである。
【図８】一実施形態の携帯用端末装置、スタンプ端末装置及び管理サーバ装置において、２次元バーコードを用いた場合におけるそれぞれの一次スタンプ情報取得処理の動作を示すフローチャートである。
【図９】一実施形態の携帯用端末装置同士のすれ違い通信及びそれに伴う管理サーバ装置におけるコンテンツ情報の配信処理の動作を示すフローチャート（その１）である。
【図１０】一実施形態の携帯用端末装置同士のすれ違い通信及びそれに伴う管理サーバ装置におけるコンテンツ情報の配信処理の動作を示すフローチャート（その２）である。
【図１１】一実施形態の携帯用端末装置における周囲スタンプ情報表示処理及びそれに伴う管理サーバ装置のスタンプ情報取得状況提供処理の動作を示すフローチャートである。
【発明を実施するための形態】
【００４６】
以下、本発明の各実施形態について、図面を参照しながら説明する。なお、以下に説明する実施形態は、店舗またはアミューズメント施設などの所定の領域内（以下、「施設内」という。）において、携帯用電話機などの携帯用端末装置に電子化されたスタンプ情報（特定情報）を取得させて、クーポン（特典情報）を提供するスタンプラリーを管理及び支援するスタンプラリー支援システムに対して本発明に記載の特典提供システムを適用した場合である。また、当該スタンプラリー支援システムに用いる携帯用端末装置に対し、本発明に係る特典提供システムに用いる移動配信端末装置及び参加者端末装置、並びに、当該移動配信端末装置に搭載される特定情報配信プログラム及び当該参加者端末装置に搭載される参加者端末プログラムを適用した場合の実施形態である。
【００４７】
＜スタンプラリー支援システム＞
まず、図１を用いて本実施形態のスタンプラリー支援システムＳの構成について説明する。なお、図１は、本実施形態のスタンプラリー支援システムＳの構成を示すシステム構成図である。
【００４８】
本実施形態のスタンプラリー支援システムＳは、図１に示すように、電子的なスタンプとしてスタンプ情報を取得し、スタンプラリーの参加者端末装置及びスタンプ情報を配信する移動配信端末装置として機能する携帯用端末装置１００と、施設内の予め定められた場所に固定設置され、携帯用端末装置１００に予め設定された一のスタンプ情報を提供する複数のスタンプ端末装置２００と、スタンプ情報の管理及び参加中の携帯用端末装置１００の位置管理などスタンプラリーを実行する上で必要な各種の管理を行う管理サーバ装置３００と、から構成されている。
【００４９】
スタンプラリー支援システムＳは、ＢＬＵＥＴＯＯＴＨ（ＩＥＥＥ：ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１５／登録商標）またはＲＦＩＤ（Ｒａｄｉｏ  Ｆｒｅｑｕｅｎｃｙ  ＩＤｅｎｔｉｆｉｃａｔｉｏｎ）などの近距離無線通信によって、または、ＩＥＥＥ  ８０２．１１規格などの通信規格における無線ネットワークＷＮ及びインターネットまたは電話公衆回線網などの有線ネットワークＦＮの種々のネットワークＮを介して、携帯用端末装置１００同士、携帯用端末装置１００と管理サーバ装置３００、携帯用端末装置１００とスタンプ端末装置２００及びスタンプ端末装置２００と管理サーバ装置３００の通信回線を確立し、データの授受などの通信を行うようになっている。
【００５０】
スタンプラリー支援システムＳは、提供地として施設内の予め定められた場所に固定設置された複数のスタンプ端末装置２００によって参加者の携帯用端末装置１００に複数の種別を有するスタンプ情報を取得させるとともに、取得させたスタンプ情報の種類及び取得数に基づいて参加者の携帯用端末装置１００に特典として割引券または金券として機能するクーポン情報を提供するようになっている。
【００５１】
また、スタンプラリー支援システムＳは、参加者にスタンプ端末装置２００を探索させつつ当該各スタンプ端末装置２００からスタンプ情報を携帯用端末装置１００に取得させる他に、スタンプラリーに参加中の他の参加者における携帯用端末装置１００と通信回線を確立してデータの授受（後述する「すれ違い通信」ともいう。）を実行させるようになっている。
【００５２】
すなわち、スタンプラリー支援システムＳは、スタンプ端末装置２００からだけでなく、他の参加者の携帯用端末装置１００からもスタンプ端末装置２００から提供されるスタンプ情報と同種のスタンプ情報を取得させることができるようになっており、参加者に対してスタンプ端末装置２００（すなわち、スタンプ情報の提供地）の探索の労苦に伴うスタンプラリーに対する興趣性の喪失を防止し、当該防止によりスタンプラリーへの参加を維持させるとともに、スタンプ端末装置２００の探索を煩雑と捉えるスタンプラリーへの非積極的な参加者に対してもこの煩雑さを解消させて当該スタンプラリーへ積極的に参加させることができるようになっている。
【００５３】
具体的には、スタンプラリー支援システムＳは、他の参加者の携帯用端末装置１００が既に取得したスタンプ情報の中から一のスタンプ情報を取得させることができるように構成されているとともに、スタンプ端末装置２００から取得したスタンプ情報（以下、「一次スタンプ情報」という。）と他の携帯用端末装置１００から取得したスタンプ情報（以下、「二次スタンプ情報」という。）との当該スタンプ情報としての価値（すなわち、重み付け）を変えており、スタンプ端末装置２００を探索した参加者に対する労苦に対してインセンティブを与えている。
【００５４】
すなわち、スタンプラリー支援システムＳは、Ｎ個（Ｎは２以上の自然数）の同種の二次スタンプ情報（例えば５個の二次スタンプ情報）を取得した際に当該二次スタンプ情報と同種の１の一次スタンプ情報を取得したとみなすようになっており、この一次スタンプ情報の見なし取得を含めて一次スタンプ情報の取得数及びその種類に基づいてクーポン情報を提供するようになっている。例えば、５種類のスタンプ情報を用いてスタンプラリーが実行される際に、携帯用端末装置１００は、スタンプ端末装置２００から各「Ａ」、「Ｂ」、「Ｃ」、「Ｄ」、「Ｅ」の５種類のスタンプ情報（すなわち、一次スタンプ情報）を一度取得すれば、スタンプ情報を全部収集したことになり、クーポン情報を取得することができる。その一方、携帯用端末装置１００は、他の携帯用端末装置１００から「Ａ」のスタンプ情報（すなわち、二次スタンプ情報）を一度取得してもＮ回取得しなければ「Ａ」のスタンプ情報を取得したこととならない。すなわち、携帯用端末装置１００は、他の参加者の携帯用端末装置１００から送信された二次スタンプ情報のみによってクーポン情報を取得するためには、各「Ａ」、「Ｂ」、「Ｃ」、「Ｄ」、「Ｅ」の５種類の二次スタンプ情報を他の参加者の携帯用端末装置１００からそれぞれＮ回（例えば５回）取得しなければならいように構成されている。
【００５５】
なお、本実施形態のスタンプラリー支援システムＳにおいては、ＲＦＩＤなどの近距離無線通信を用いて一次スタンプ情報を携帯用端末装置１００に配信するスタンプ端末装置２００と、２次元バーコードを携帯用端末装置１００に読み取り可能に表示することによって一次スタンプ情報を携帯用端末装置１００に配信する２種類のスタンプ端末装置２００が設けられている。
【００５６】
一方、スタンプラリー支援システムＳは、携帯用端末装置１００から他の携帯用端末装置１００に二次スタンプ情報を提供するにあたり、当該二次スタンプ情報の取得に対するゲーム性（興趣性）を向上させるために、参加者の周囲、すなわち、参加者が有する携帯用端末装置１００の周囲にある他の参加者の携帯用端末装置１００におけるスタンプ情報の取得状況を参加者に提供することができるようになっている。具体的には、スタンプラリー支援システムＳは、参加者の各携帯用端末装置１００の位置を管理しつつ、任意の携帯用端末装置１００が所定の方向をカメラ機能によって撮像した所定の領域（以下、「撮像領域」という。）の画像上に、他の携帯用端末装置１００が既に取得したスタンプ情報の取得状況を示す情報をタグＴａｇとして重畳表示させる構成を有している。
【００５７】
本実施形態におけるスタンプ情報とは、スタンプ情報を取得した際に携帯用端末装置１００に表示されるコンテンツ情報の他に、スタンプ情報の取得の有無に関する判断に用いられるスタンプ端末装置２００の識別情報（スタンプ端末ＩＤ）が含まれる。二次スタンプ情報であってもスタンプ端末ＩＤを有するが、当該二次スタンプ情報には、コンテンツ情報が含まれない。また、コンテンツ情報は、管理サーバ装置３００に記憶された予め定められたＷｅｂページデータのＵＲＬ（Ｕｎｉｆｏｒｍ  Ｒｅｓｏｕｒｃｅ  Ｌｏｃａｔｏｒ）の情報である。したがって、携帯用端末装置１００において実行されるスタンプラリー用のアプリケーション（後述のスタンプラリーアプリ）が起動している際に、携帯用端末装置１００が、当該ＵＲＬによって該当するＷｅｂページデータを読み出すと、当該Ｗｅｂページデータによってスタンプ情報の取得が告知される、または、該当するスタンプ情報が保持されていることを示すようになっている。
【００５８】
一方、Ｗｅｂページデータとは、文書または画像の要素データ（要素）をタグと呼ばれる識別子を用いてリソースデータとして構築されるＨＴＭＬ（Ｈｙｐｅｒ  Ｔｅｘｔ  Ｍａｒｋｕｐ  Ｌａｎｇｕａｇｅ）またはＸＭＬ（ｅＸｔｅｎｓｉｂｌｅ  Ｍａｒｋｕｐ  Ｌａｎｇｕａｇｅ）などのマークアップ言語によって形成されたＷＷＷシステム用のリソースデータをいい、リソースデータを読み込んだ先の端末装置（すなわち、本実施形態の場合には携帯用端末装置１００）に、コンテンツ情報、クーポン情報その他の情報を閲覧可能に表示させるためのデータであるとともに、Ｗｅｂページデータに予め規定されるデータ通信を行うためのデータである。
【００５９】
他方、クーポン情報とは、例えば、各スタンプ端末装置２００において提供されている全ての種類におけるスタンプ情報の取得した場合、または、一次スタンプ情報のみならず、二次スタンプ情報を含めて全ての種類の一次スタンプ情報を取得したと見なされた場合に取得されるクーポンとして機能する情報である。特に、本実施形態においては、クーポン情報は、携帯用端末装置１００が取得したスタンプ情報の取得状況に基づいて管理サーバ装置３００から提供される。また、本実施形態のクーポン情報は、管理サーバ装置３００に記憶された予め定められたＷｅｂページデータのＵＲＬのアドレス情報であり、携帯用端末装置１００が、受信したＵＲＬのＷｅｂページデータを読み込むことによって、クーポンとして機能するようになっている。
【００６０】
＜携帯用端末装置＞
１．携帯用端末装置の構成；
次に、図１〜図３の各図を用いて本実施形態の各携帯用端末装置１００の構成について説明する。なお、図２は、本実施形態の各携帯用端末装置１００の構成を示すブロック図であり、図３は、データ記憶部１０２に記憶されたスタンプ管理情報の一例である。
【００６１】
各携帯用端末装置１００は、例えば、電子書籍用読取再生装置（電子ブックリーダ）、ゲーム機、ＰＤＡ（Ｐｅｒｓｏｎａｌ  Ｄｉｇｉｔａｌ  Ａｓｓｉｓｔａｎｔｓ）または携帯用電話機などの参加者が携帯可能な通信端末装置である。また、各携帯用端末装置１００は、スタンプラリーに参加する際に当該携帯用端末装置１００をスタンプラリーに用いられる参加者端末装置として機能させるためのアプリケーションプログラム（以下、「スタンプラリーアプリ」ともいう。）を搭載している。
【００６２】
スタンプラリーアプリは、Ｗｅｂページデータなどのリソースデータを読み込んで閲覧するためのブラウザ機能を有するとともに、各携帯用端末装置１００が有する種々のハードウェアと協働し、スタンプラリーに関する各種の処理を実行するためのプログラムである。特に、スタンプラリーアプリによって実行される処理には、
（１）スタンプ端末装置２００によって提供される一次スタンプ情報の取得処理（以下、単に「一次スタンプ情報の取得処理」という。）、
（２）近接した他の携帯用端末装置１００との二次スタンプ情報の授受を行う際に実行される通信（以下、「すれ違い通信」という。）の制御、
（３）すれ違い通信に基づく二次スタンプ情報の取得処理（以下、単に「二次スタンプ情報の取得処理」という。）、
（４）すれ違い通信に基づく二次スタンプ情報の提供処理（以下、「二次スタンプ情報の提供処理」という。）当該取得したスタンプ情報の管理、
（５）周囲の他の携帯用端末装置１００におけるスタンプ情報の取得状況を示す情報（以下、「スタンプ情報取得状況情報」という。）を表示する表示処理（以下、「周囲スタンプ情報表示処理」という。）、及び、
（６）取得した一次スタンプ情報及び二次スタンプ情報の管理を行うためのスタンプ情報の管理処理、
の各処理が含まれる。
【００６３】
各携帯用端末装置１００は、管理サーバ装置３００及び他の携帯用端末装置１００と通信を行う端末用通信インターフェース１０１と、取得したスタンプ情報及び当該スタンプ情報を管理するための管理情報など所定のデータが記憶されるデータ記憶部１０２と、一次スタンプ情報の取得処理などのスタンプラリーに参加するにあたり実行される種々の処理を行う端末用データ処理部１２０と、を有している。また、各携帯用端末装置１００は、所定の撮像領域を撮像する撮像カメラ部１０３と、種々の告知画像、操作画像及び撮像カメラ部１０３によって撮像された画像を表示する表示部１０４と、表示部１０４における表示制御を行う表示制御部１０５と、携帯用端末装置１００における現在位置を検出する現在位置検出部１０６と、撮像カメラ部１０３の撮像方向を検出する方向検出部１０７と、を有している。さらに、各携帯用端末装置１００は、参加者の操作を入力するための操作部１０８と、全体を制御する端末管理制御部１０９と、スタンプラリーアプリが記録されるとともに端末管理制御部１０９が各部材を制御するための制御プログラム及び当該制御プログラムが実行される際に用いられるメモリ機能を有するＲＯＭ／ＲＡＭ１１０と、を有している。
【００６４】
携帯用端末装置１００は、例えば、携帯用電話機などの電話機能及びメール機能を有する場合には、マイク及びスピーカなど種々の必要な部材を有している。また、上記の各部は、バスＢによって互いに接続され、データの授受が実行される。
【００６５】
なお、例えば、本実施形態における端末用通信インターフェース１０１は、本発明の端末間回線確立手段及び送信手段を構成し、データ記憶部１０２は、特定情報記憶手段及び装置識別情報記憶手段を構成する。また、例えば、本実施形態における端末用データ処理部１２０は、本発明の履歴情報取得手段、配信可否判断手段、配信手段、提供手段、二次特定情報取得手段と、一次特定情報取得手段、管理手段、種別数判断手段、特典情報取得手段及び移動配信端末情報取得手段を構成し、撮像カメラ部１０３は、撮像手段を構成する。さらに、例えば、本実施形態における表示制御部１０５は、表示制御手段を構成するとともに、現在位置検出部１０６は、位置情報検出手段を構成し、方向検出部１０７は、撮像方向検出手段を構成する。
【００６６】
端末用通信インターフェース１０１は、端末用データ処理部１２０の制御の下、アンテナＡＴを介して直接的に管理サーバ装置３００と通信回線を構築し、または、有線ネットワークに接続される基地局ＢＳを介して間接的に管理サーバ装置３００と通信回線を構築し、携帯用端末装置１００におけるスタンプ情報に関する取得状況に関するデータの授受、一次スタンプ情報の取得、クーポン情報の取得及びスタンプ情報取得状況情報の取得など種々のデータの授受を行う。なお、端末用通信インターフェース１０１は、システム構成、携帯用端末装置１００と管理サーバ装置３００との距離または施設内の状況に合わせて直接的に通信を行うか基地局ＢＳなどを介して間接的に通信を行うか選択可能になっている。
【００６７】
また、端末用通信インターフェース１０１は、端末用データ処理部１２０の制御の下、アンテナＡＴを介して他の携帯用端末装置１００と無線通信回線を構築し、他の携帯用端末装置１００の検出、無線通信回線の確立及びすれ違い通信におけるデータの授受を行うようになっている。特に、端末用通信インターフェース１０１は、端末用データ処理部１２０の制御の下、ＢＬＵＥＴＯＯＴＨ（登録商標）の通信形式を用いてアンテナＡＴを用いて予め定められている距離的範囲（すなわち、ＢＬＵＥＴＯＯＴＨ（登録商標）上の通信範囲）に存在する他の参加者における携帯用端末装置１００との通信回線を確立する。
【００６８】
さらに、端末用通信インターフェース１０１は、端末用データ処理部１２０の制御の下、該当するスタンプ端末装置２００とＲＦＩＤを用いた近距離無線通信を行う。特に、端末用通信インターフェース１０１は、ＲＦＩＤタグ機能を有し、スタンプ端末装置２００（すなわち、ＲＦＩＤタグ用のリーダ・ライタ）において発生された磁界を介してデータの授受を行う。
【００６９】
一方、端末用通信インターフェース１０１は、ＵＲＬに基づいて通信が実行される場合には、有線または無線のネットワークを介してＵＲＬによって指定されるアドレスを有するＷｅｂページデータの授受及び当該Ｗｅｂページデータを介して所定のデータの授受を行うための所定の通信制御を行う。
【００７０】
データ記憶部１０２には、スタンプラリーアプリの起動中に必要な各種のデータが記憶される。具体的には、データ記憶部１０２には、図３に示すように、
（１）他の携帯用端末装置１００との識別を行うための自己の携帯用端末識別情報（以下、「携帯端末ＩＤ」ともいう。）、
（２）取得した一次スタンプ情報における提供元のスタンプ端末装置２００の識別情報（以下、「取得済みスタンプ端末ＩＤ」ともいう。）、
（３）取得済み一次スタンプ情報のコンテンツ情報（すなわち、所定のＷｅｂページデータにおけるＵＲＬのアドレス情報）、
（４）取得済み二次スタンプ情報の種別及びその数を示すすれ違い通信スタンプ情報、
（５）取得済みクーポン情報（すなわち、所定のＷｅｂページデータにおけるＵＲＬのアドレス情報）、並びに、
（６）すれ違い通信を実行した他の携帯用端末装置１００の識別情報（以下、「すれ違い済み携帯端末ＩＤ」ともいう。）及びすれ違い済み携帯端末ＩＤ毎のすれ違い通信の回数（以下、「すれ違い回数」という。）、
が記憶される。なお、データ記憶部１０２に記憶された各情報は、端末用データ処理部１２０の制御によって適宜更新される。
【００７１】
端末用データ処理部１２０は、スタンプラリーアプリの起動中に所定のプログラムが実行されることによって、スタンプラリーにおける参加者端末装置としての各種の機能、すなわち、一次スタンプ情報の取得処理、すれ違い通信の制御、二次スタンプ情報の取得処理、二次スタンプ情報の提供処理、周囲スタンプ情報表示処理及びスタンプ情報の管理を実現するようになっている。例えば、端末用データ処理部１２０は、ＲＯＭ／ＲＡＭ１１０に記録されたスタンプラリーアプリ及びスタンプラリーアプリ上で携帯用端末装置１００の各部を制御するための各種制御プログラムを実行しつつ、端末用通信インターフェース１０１、データ記憶部１０２、撮像カメラ部１０３、表示制御部１０５、現在位置検出部１０６及び方向検出部１０７と連動し、または、制御して上述の各種の処理を実行する。
【００７２】
具体的には、端末用データ処理部１２０は、スタンプラリーアプリを起動することによって、図３に示すように、一次スタンプ情報の取得処理を実行する一次スタンプ情報取得処理部１２１と、すれ違い通信の制御を行うすれ違い通信制御部１２２と、二次スタンプ情報の提供処理を実行する二次スタンプ情報提供処理部１２３と、二次スタンプ情報の取得処理を実行する二次スタンプ情報取得処理部１２４と、スタンプ情報の管理を行うスタンプ情報管理部１２５と、スタンプ情報取得状況情報を表示する周囲スタンプ情報表示処理を実行する周囲スタンプ情報表示処理部１２６と、を構築する。
【００７３】
また、端末用データ処理部１２０においては、例えば、一次スタンプ情報取得処理部１２１は、一次特定情報取得手段を構成し、二次スタンプ情報取得処理部１２４は、二次特定情報取得手段、提供手段及び種別数判断手段を構成する。また、二次スタンプ情報提供処理部１２３は、履歴情報取得手段、配信可否判断手段及び配信手段を構成し、スタンプ情報管理部１２５は、管理手段及び特典情報取得手段を構成する。さらに、周囲スタンプ情報表示処理部１２６は、移動配信端末情報取得手段を構成する。なお、この端末用データ処理部１２０における各部の詳細については後述する。
【００７４】
撮像カメラ部１０３は、光電変換する撮像素子（以下、「ＣＣＤ」という）と、当該ＣＣＤを格納する筐体及び撮像レンズなどのカメラ機構と、を備え、操作部１０８の操作に基づいて、ＣＣＤに形成された所定の被写範囲の影像を所定の画像データに変換し、表示部１０４に表示させる。
【００７５】
また、撮像カメラ部１０３は、スタンプ端末装置２００において提供される２次元バーコード（マトリックス型２次元コード）、例えば、ＱＲ（Ｑｕｉｃｋ  Ｒｅｓｐｏｎｓｅ）コードを対象物として撮像した場合には、当該画像を解析して２次元バーコードに示された情報を取得するために、端末用データ処理部１２０に撮像した画像を出力する。
【００７６】
表示部１０４は、例えば、液晶素子またはＥＬ（Ｅｌｅｃｔｒｏ  Ｌｕｍｉｎｅｓｃｅｎｃｅ）素子のパネルによって構成され、表示制御部１０５において生成された表示データに基づいて所定の画像を表示する。特に、本実施形態では、表示部１０４は、スタンプラリーアプリが実行されている際に、一次スタンプ情報、二次スタンプ情報、クーポン情報及び撮像カメラ部１０３によって撮像された画像などのスタンプラリーアプリの進行に係る画像データを、端末用データ処理部１２０、撮像カメラ部１０３及び操作部１０８と連動して各種の表示を行う。
【００７７】
表示制御部１０５は、端末管理制御部１０９の制御の下または端末用データ処理部１２０の制御の下、表示部１０４に表示させるために必要な表示データを生成するようになっており、生成された表示データを当該表示部１０４に出力するようになっている。
【００７８】
現在位置検出部１０６は、スタンプラリーアプリの起動時に、端末用データ処理部１２０の制御の下、ネットワークＮを介してＧＰＳ（Ｇｌｏｂａｌ  Ｐｏｓｉｔｉｏｎｉｎｇ  Ｓｙｓｔｅｍ）衛星の位置を認識しつつ、当該ＧＰＳ衛星から送信された衛星信号（ＧＰＳ信号）を検出し、当該検出されたＧＰＳ信号に基づいて携帯用端末装置１００の現在位置の座標値を算出（すなわち、検出）する。そして、この現在位置検出部１０６は、この算出された座標値を位置情報として端末用データ処理部１２０に提供する。ただし、携帯用端末装置１００が、電話機能を有している場合には、電話に用いる電波を電話基地局において受信した方角と電波強度に基づいて当該携帯用端末装置１００の現在位置を算出（検出）してもよい。
【００７９】
また、現在位置検出部１０６は、スタンプラリーアプリの起動中に、予め定められた時間毎（例えば、１分毎または５分毎）の携帯用端末装置１００の位置を管理サーバ装置３００において管理するために、当該予め定められた時間毎に携帯用端末装置１００の現在位置の座標値を検出し、端末用通信インターフェース１０１を介して管理サーバ装置３００に当該座標値を位置情報として当該管理サーバ装置３００に送信する。
【００８０】
方向検出部１０７は、微弱な地磁気を検知する磁気センサと、重力の方向を検出する加速度センサとから形成されており、スタンプラリーアプリの起動時に、端末用データ処理部１２０の制御の下、撮像カメラ部１０３の撮像方向を検出し、検出した方向を方向情報として端末用データ処理部１２０に提供する。
【００８１】
操作部１０８は、各種の確認ボタン、各操作指令を入力する操作ボタン、テンキーなどの多数のキーにより構成され、各操作を行う際に用いられるようになっている。具体的には、操作部１０８は、スタンプラリーアプリの起動時に上述の各種の処理を実行するための操作を行う際に用いられるようになっている。
【００８２】
端末管理制御部１０９は、主に中央演算処理装置（ＣＰＵ）によって構成されるとともに、キー入力ポート、表示制御ポート等の各種入出力ポートを含み、携帯用端末装置１００の全般的な機能及びスタンプラリーアプリを実行するための全般的な機能を総括的に制御するようになっている。
【００８３】
ＲＯＭ／ＲＡＭ１１０には、携帯用端末装置１００として機能するための各種の制御プログラムが記録されているとともに、スタンプラリーの参加中に必要な各種の制御プログラムを含むスタンプラリーアプリが記録されている。また、このＲＯＭ／ＲＡＭ１１０は、各種の処理が実行される際のワークエリアとして用いられる。
【００８４】
２．端末用データ処理部の詳細；
次に、図２及び図４を用いて本実施形態の端末用データ処理部１２０における各部の構成及びその動作の詳細について説明する。なお、図４は、撮像カメラ部１０３にスタンプ情報取得状況情報を重畳表示した場合の一例である。
【００８５】
一次スタンプ情報取得処理部１２１は、スタンプラリーアプリの起動時に、端末用通信インターフェース１０１を介してスタンプ端末装置２００とＲＦＩＤなどの近距離無線通信によるデータ通信を制御し、当該スタンプ端末装置２００から一次スタンプ情報を取得する一次スタンプ情報の取得処理を実行する。
【００８６】
具体的には、ＲＦＩＤの近距離無線通信によって一次スタンプ情報を配信するスタンプ端末装置２００においては、スタンプラリーアプリの起動時に、ＲＦＩＤタグの機能を有する端末用通信インターフェース１０１が参加者によってスタンプ端末装置２００におけるリーダ・ライタ部分に接近され、一次スタンプ情報取得処理部１２１が、当該リーダ・ライタが発生させている磁界エネルギーを端末用通信インターフェース１０１を介して検出すると、当該一次スタンプ情報取得処理部１２１は、データ記憶部１０２から自己の携帯端末ＩＤ及び取得済み一次スタンプ情報（具体的には、取得済みスタンプ端末ＩＤ）を読み出し、当該読み出した携帯端末ＩＤ及び取得済みスタンプ端末ＩＤをスタンプ端末装置２００に送信する。
【００８７】
また、一次スタンプ情報取得処理部１２１は、送信した自己の携帯端末ＩＤ及び取得済み一次スタンプ情報に基づいて、新たな一次スタンプ情報を受信した場合には、受信した一次スタンプ情報に基づいてデータ記憶部１０２に記憶されている取得済みスタンプ端末ＩＤを更新するとともに、当該新たな一次スタンプ情報に含まれるコンテンツ情報をデータ記憶部１０２に記憶する。
【００８８】
なお、スタンプ端末装置２００は、受信した自己の携帯端末ＩＤ及び取得済み一次スタンプ情報（具体的には、取得済みスタンプ端末ＩＤ）を管理サーバ装置３００に送信するとともに、管理サーバ装置３００によって一次スタンプ情報の配信の可否が判断されるようになっている。また、管理サーバ装置３００によって取得済みスタンプ端末ＩＤとして携帯用端末装置１００が既に取得していると判断された場合には、スタンプ端末装置２００は、その旨を携帯用端末装置１００に通知する。携帯用端末装置１００は、この通知を受信すると、その通知を表示部１０４に表示する。
【００８９】
一方、２次元バーコードによって一次スタンプ情報が配信されるスタンプ端末装置２００においては、一次スタンプ情報取得処理部１２１は、スタンプ端末装置２００によって提供された２次元バーコードの画像を、撮像カメラ部１０３を介して取得するとともに、当該２次元バーコードを解析して一次スタンプ情報を取得するためのＵＲＬのアドレス情報を取得する。また、一次スタンプ情報取得処理部１２１は、取得したＵＲＬを表示部１０４に表示するとともに、操作部１０８によるＵＲＬの指定に基づいて、端末用通信インターフェース１０１を介して管理サーバ装置３００からＷｅｂページデータを取得して表示部１０４に当該Ｗｅｂページデータを表示させる。そして、一次スタンプ情報取得処理部１２１は、Ｗｅｂページデータを介して管理サーバ装置３００に自己の携帯端末ＩＤ及び取得済み一次スタンプ情報を送信する。さらに、一次スタンプ情報取得処理部１２１は、一次スタンプ情報の配信が可能であると判断された場合には、新たな一次スタンプ情報を受信する。そして、一次スタンプ情報取得処理部１２１は、受信した一次スタンプ情報に基づいてデータ記憶部１０２に記憶されている取得済みスタンプ端末ＩＤを更新するとともに、当該新たな一次スタンプ情報に含まれるコンテンツ情報をデータ記憶部１０２に記憶する。
【００９０】
なお、取得を希望するスタンプ端末ＩＤが管理サーバ装置３００によって取得済みスタンプ端末ＩＤとして携帯用端末装置１００が既に取得していると判断された場合には、管理サーバ装置３００は、その旨を携帯用端末装置１００に通知する。携帯用端末装置１００は、この通知を受信すると、その通知を表示部１０４に表示する。また、コンテンツ情報は、ＵＲＬのアドレス情報で提供されるため、表示部１０４は、当該ＵＲＬに基づいて管理サーバ装置３００にアクセスして該当するリソースデータを表示してコンテンツ情報を参加者に閲覧させるようになっている。
【００９１】
すれ違い通信制御部１２２は、端末用通信インターフェース１０１と連動して、スタンプラリーアプリの起動時に、ＢＬＵＥＴＯＯＴＨ（登録商標）などの所定の通信形式を用いることによって予め定められている距離的範囲（すなわち、通信範囲）に存在する他の参加者における携帯用端末装置１００の情報を収集し、何れの携帯用端末装置１００とも通信を行っていない通信可能な他の携帯用端末装置１００との通信回線を確立するすれ違い通信の制御処理を実行する。
【００９２】
例えば、ＢＬＵＥＴＯＯＴＨ（登録商標）の通信を実行する場合には、すれ違い通信制御部１２２は、他のパケットと識別するための識別パケット（以下、「ＩＤパケット」という。）を一定間隔毎に一定の範囲に存在する全ての携帯用端末装置１００に対して送信する。そして、すれ違い通信制御部１２２は、送信されたＩＤパケットを受信した携帯用端末装置１００から応答可能を意味する応答パケットが送信され、当該応答パケットを受信した場合に、当該応答パケットに基づいて他の参加者の携帯用端末装置１００を認識するとともに、認識した携帯用端末装置１００と同期及び通信チャンネルを決定し、端末用通信インターフェース１０１を介して通信回線を確立する。なお、すれ違い通信制御部１２２は、所定のデータ通信が終了した場合には、互いに確立された通信回線を解除する。
【００９３】
二次スタンプ情報提供処理部１２３は、すれ違い通信制御部１２２によって他の携帯用端末装置１００との通信回線が確立された場合に、通信先となる当該他の携帯用端末装置１００（以下、「通信先携帯用端末装置１００」という。）から、通信先の携帯端末ＩＤとともに、取得済み一次スタンプ情報を示す取得済みスタンプ端末ＩＤを取得し、二次スタンプ情報の提供処理を実行する。
【００９４】
二次スタンプ情報の提供処理としては、二次スタンプ情報提供処理部１２３は、取得した通信先の携帯端末ＩＤ及び取得済みスタンプ端末ＩＤと、自己のデータ記憶部１０２に記憶されている取得済みのスタンプ端末ＩＤ（以下、「自己取得済みスタンプ端末ＩＤ」）とに基づいて通信先携帯用端末装置１００への二次スタンプ情報（具体的には、自己が有するスタンプ端末ＩＤ）における配信（提供）の可否を判断する。
【００９５】
通常、すれ違い通信におけるスタンプ情報の取得は、スタンプ端末装置２００を探索して得る場合に比べて容易であり、常に、二次スタンプ情報を他の携帯用端末装置１００から取得することができるとなると、スタンプ端末装置２００を探索するというゲーム性の魅力が減少し、スタンプラリーのイベントとしての興趣性が低下する。
【００９６】
そこで、本実施形態においては、二次スタンプ情報提供処理部１２３は、同一の他の携帯用端末装置１００から容易に二次スタンプ情報が取得されないように、一日に、予め定められたデータ数を超えてすれ違い通信による二次スタンプ情報を提供することができないとする回数制限（例えば、同一の携帯用端末装置１００からは一日５回までとする回数制限）を設け、取得した携帯端末ＩＤに基づいて通信先携帯用端末装置１００への二次スタンプ情報の配信の可否を判断するようになっている。
【００９７】
一方、二次スタンプ情報提供処理部１２３は、通信先の携帯用端末装置１００における取得済みスタンプ端末ＩＤに基づいて通信先の携帯用端末装置１００への二次スタンプ情報の配信の可否を判断する。すなわち、二次スタンプ情報提供処理部１２３は、回数制限を満たさない場合であっても、自己における取得済みスタンプ端末ＩＤが「０」の場合には、通信先の携帯用端末装置１００に提供すべきスタンプ情報が無いので、当該二次スタンプ情報を提供しないと判断する。また、二次スタンプ情報提供処理部１２３は、提供可能な一次スタンプ情報の全てが、通信先の携帯用端末装置１００において全て取得済みスタンプ端末ＩＤとして記憶されている場合には、二次スタンプ情報を提供しないと判断する。例えば、二次スタンプ情報提供処理部１２３は、提供可能な一次スタンプ情報が「Ａ」のみであって、通信先の携帯用端末装置１００が取得済みスタンプ端末ＩＤとして「Ａ」が記憶されている場合には、当該「Ａ」のスタンプ端末ＩＤを二次スタンプ情報として提供しないと判断する。
【００９８】
他方、二次スタンプ情報提供処理部１２３は、通信先の携帯用端末装置１００に提供可能な２以上のスタンプ端末ＩＤがある場合には（すなわち、２以上の二次スタンプ情報を提供することができる場合には）、乱数などを用いてランダムに提供すべき一の二次スタンプ情報を選択し、選択した二次スタンプ情報を通信先の携帯用端末装置１００に提供する。例えば、二次スタンプ情報提供処理部１２３は、の提供可能な一次スタンプ情報「Ａ」及び「Ｂ」を有している場合であって、通信先の携帯用端末装置１００が一次スタンプ情報として「Ａ」及び「Ｂ」が未取得の場合には、ランダムに提供すべき二次スタンプ情報を「Ａ」または「Ｂ」と決定し、決定した二次スタンプ情報「Ａ」または「Ｂ」を通信先の携帯用端末装置１００に配信する。
【００９９】
二次スタンプ情報取得処理部１２４は、すれ違い通信制御部１２２によって他の携帯用端末装置１００との通信回線が確立されると、通信先の他の携帯用端末装置１００に、データ記憶部１０２に記憶されている携帯端末ＩＤと取得済みスタンプ端末ＩＤを提供する。そして、この二次スタンプ情報取得部は、通信先の携帯用端末装置１００からスタンプ端末ＩＤを二次スタンプ情報として提供された場合に（すなわち、通信先の携帯用端末装置１００における上述の二次スタンプ情報提供処理により二次スタンプ情報が提供された場合に）、当該提供された二次スタンプ情報に基づいてデータ記憶部１０２に記憶されているすれ違い通信スタンプ情報を更新する二次スタンプ情報の取得処理を実行する。
【０１００】
スタンプ情報管理部１２５は、端末用通信インターフェース１０１を介して管理サーバ装置３００と連動し、一次スタンプ情報及び二次スタンプ情報の管理を行う。具体的には、スタンプ情報管理部１２５は、二次スタンプ情報の取得処理により、二次スタンプ情報を更新する毎に、該当する一次スタンプ情報の取得要件を具備したか否かを判断する。すなわち、スタンプ情報管理部１２５は、二次スタンプ情報を更新する毎に、更新した二次スタンプ情報の種別における取得数が予め設定された取得数（例えば、５）となった否かを判断する。また、スタンプ情報管理部１２５は、取得した二次スタンプ情報の種別における取得数が予め設定された取得数になった場合には、管理サーバ装置３００に自己の携帯端末ＩＤを提供し、二次スタンプ情報を取得することによって一次スタンプ情報の取得が認容された当該一次スタンプ情報に含まれるコンテンツ情報を当該管理サーバ装置３００から取得する。そして、スタンプ情報管理部１２５は、取得したコンテンツ情報をデータ記憶部１０２に記憶するとともに表示部１０４に表示する。このとき、スタンプ情報管理部１２５は、データ記憶部１０２における該当する取得済みスタンプ端末ＩＤの情報を更新する。
【０１０１】
一方、スタンプ情報管理部１２５は、一次スタンプ情報を取得する毎に、または、二次スタンプ情報を取得することによって一次スタンプ情報の取得が認容される毎に、クーポン情報が取得可能か否かを判断する。そして、スタンプ情報管理部１２５は、クーポン情報が取得可能と判断した場合には、管理サーバ装置３００からクーポン情報を所得し、取得したクーポン情報をデータ記憶部１０２に記憶するとともに表示部１０４に表示する。
【０１０２】
なお、コンテンツ情報及びクーポン情報は、ＵＲＬのアドレス情報で提供されるため、スタンプ情報管理部１２５は、端末用通信インターフェース１０１を介して当該ＵＲＬに基づいて管理サーバ装置３００にアクセスし、該当するＷｅｂページデータを取得する。そして、スタンプ情報管理部１２５は、取得したＷｅｂページデータをコンテンツ情報及びクーポン情報として参加者に閲覧可能に表示部１０４に表示する。
【０１０３】
周囲スタンプ情報表示処理部１２６は、スタンプラリーアプリを起動中に、操作部１０８の指示に基づいて、端末用通信インターフェース１０１、現在位置検出部１０６、方向検出部１０７及び表示制御部１０５と連動して周囲スタンプ情報表示処理を実行する。具体的には、周囲スタンプ情報表示処理部１２６は、操作部１０８において所定の操作が実行されると、撮像カメラ部１０３による所定の撮像方向における被写範囲の撮像を開始させる。そして、周囲スタンプ情報表示処理部１２６は、操作部１０８の所定の操作によって自己の携帯用端末装置１００の周囲におけるスタンプ情報の取得状況を示す情報（以下、「スタンプ情報取得状況情報」という。）を表示させる撮像領域（すなわち、被写範囲）１０が確定されたことを検出すると、現在位置検出部１０６を制御して携帯用端末装置１００の現在位置の座標値を取得するとともに、方向検出部１０７を制御して検出された撮像カメラ部１０３の撮像方向を取得する。また、周囲スタンプ情報表示処理部１２６は、管理サーバ装置３００にスタンプ情報取得状況情報を撮像された画像に重畳して表示部１０４に表示するための要求（以下、単に「表示要求」ともいう。）を送信する。さらに、周囲スタンプ情報表示処理部１２６は、取得した現在位置の座標値及び撮像カメラ部１０３の撮像方向を位置情報及び方向情報として管理サーバ装置３００に送信する。
【０１０４】
なお、スタンプ情報取得状況情報とは、撮像カメラ部１０３の撮像方向に基づいて算出された被写範囲１０おける他の携帯用端末装置１００に関する一次スタンプ情報の取得状況を示す情報である。また、スタンプ情報取得状況情報には、管理サーバ装置３００において管理されている他の携帯用端末装置１００における自己の携帯用端末装置１００からの距離情報及びその方向情報と、当該他の携帯用端末装置１００が取得している一次スタンプ情報（具体的には、取得済みスタンプ端末ＩＤ）と、が含まれる。
【０１０５】
一方、周囲スタンプ情報表示処理部１２６は、例えば、図４に示すように、管理サーバ装置３００から送信されたスタンプ情報取得状況情報を受信すると、表示制御部１０５と連動しつつ、撮像カメラ部１０３が撮像している被写範囲１０に、携帯用端末装置１００毎に距離及び方向に基づいて取得済み一次スタンプ情報（具体的には、取得済みスタンプ端末ＩＤ）を表示するタグＴａｇの大きさを変えつつ、当該一次スタンプ情報の種別を表示する。
【０１０６】
＜スタンプ端末装置＞
次に、図１を用いて本実施形態におけるスタンプ端末装置２００について説明する。
【０１０７】
各スタンプ端末装置２００は、施設内における予め定められた様々な場所に固定設置されており、それぞれ、予め設定された一の一次スタンプ情報を有している。また、各スタンプ端末装置２００は、ＲＦＩＤなどの近距離無線通信によって、または、２次元バーコードによって、一次スタンプ情報を携帯用端末装置１００に直接的にまたは間接的に配信する構成を備えている。
【０１０８】
例えば、ＲＦＩＤの近距離無線通信によって一次スタンプ情報を配信する場合には、各スタンプ端末装置２００は、ＲＦＩＤ用のリーダ・ライタを備え、管理サーバ装置３００と連動しつつ、当該リーダ・ライタに携帯用端末装置１００が接近させて（数ｃｍ〜数ｍ程度）データの授受を行うようになっており、管理サーバ装置３００と連動して当該データの授受によって一次スタンプ情報を直接携帯用端末装置１００に配信する構成を有している。
【０１０９】
また、２次元バーコードによって一次スタンプ情報を配信する場合には、各スタンプ端末装置２００は、所定の表示手段を備え、管理サーバ装置３００から一次スタンプ情報を取得させるためのＵＲＬの情報が組み込まれたデータであって、携帯用端末装置１００において読み取り可能な２次元バーコードを表示手段に表示する構成を有している。すなわち、この場合には、各スタンプ端末装置２００は、２次元バーコードを携帯用端末装置１００に読み取らせ、当該２次元バーコードにコード化されているＵＲＬに基づいて自動的にまたは手動によって管理サーバ装置３００にアクセスさせて一次スタンプ情報を携帯用端末装置１００に取得させるようになっている
【０１１０】
＜管理サーバ装置＞
１．管理サーバ装置の構成；
次に、図５及び図６を用いて本実施形態の管理サーバ装置３００の構成について説明する。なお、図５は、本実施形態の管理サーバ装置３００の構成を示すブロック図であり、図６は、データベース３２０に記憶されるスタンプラリーにおける管理情報（以下、「スタンプラリー用管理情報」という。）の一例である。
【０１１１】
管理サーバ装置３００は、図５に示すように、スタンプラリーのイベントの実施において、当該スタンプラリーに参加する参加者の携帯用端末装置１００におけるスタンプ情報に関する取得状況の管理及び当該携帯用端末装置１００の位置管理、一次スタンプ情報（スタンプ端末ＩＤ及びそのコンテンツ情報）の管理、要求がされた携帯用端末装置１００における周囲の携帯用端末装置１００に関するスタンプ情報取得状況の提供処理（以下、「スタンプ情報取得状況提供処理」という。）、クーポン情報の管理、並びに、その他のスタンプラリーを実行する上で必要な各種の管理及び処理を実行する。
【０１１２】
管理サーバ装置３００は、図５に示すように、各携帯用端末装置１００と通信を行うサーバ用通信インターフェース３１０と、スタンプラリー用管理情報が記憶されるデータベース３２０と、上述の各種の管理を実行するサーバ用データ処理部３３０と、を備えている。なお、各部は、バスＢによって互いに接続され、データの授受が実行されるようになっている。
【０１１３】
サーバ用通信インターフェース３１０は、サーバ用データ処理部３３０の制御の下、アンテナＡＴを介して直接的に各携帯用端末装置１００と通信回線を構築し、または、有線ネットワークに接続される基地局ＢＳを介して間接的に各携帯用端末装置１００と通信回線を構築し、携帯用端末装置１００におけるスタンプ情報に関する取得状況に関するデータの授受、一次スタンプ情報の提供、クーポン情報の提供及びスタンプ情報取得状況情報の提供など種々のデータの授受を行う。なお、端末用通信インターフェース１０１は、システム構成、携帯用端末装置１００との距離または施設内の状況に合わせて直接的に通信を行うか基地局ＢＳを介して間接的に通信を行うか選択可能になっている。
【０１１４】
また、サーバ用通信インターフェース３１０は、ＵＲＬに基づいて通信が実行される場合には、ＵＲＬによって指定されるアドレスを有するＷｅｂページデータの授受及び当該Ｗｅｂページデータを介して所定のデータの授受を行うための所定の通信制御を行う。
【０１１５】
データベース３２０には、当該スタンプラリーに参加する参加者の携帯用端末装置１００におけるスタンプ情報に関する取得状況の管理及び当該携帯用端末装置１００の位置管理、一次スタンプ情報の管理並びにクーポン情報の管理を行うために必要な情報が記憶される。具体的には、データベース３２０には、図６に示すように、参加者情報として、スタンプラリーに参加している携帯用端末装置１００毎に、携帯端末ＩＤ、予め定められた時間毎に更新される当該携帯用端末装置１００の現在位置、すなわち、緯度及び経度を示す現在の位置を示す位置情報並びに取得済みスタンプ端末ＩＤが記憶されている。なお、参加者情報における位置情報は、予め定められた時間毎に更新され、取得済みスタンプ端末ＩＤの情報は、各携帯用端末装置１００がスタンプ端末ＩＤを取得する毎に更新される。
【０１１６】
また、データベース３２０には、携帯用端末装置１００に提供される各一次スタンプ情報のコンテンツ情報及びクーポン情報がＵＲＬに対応付けられて記憶されている。
【０１１７】
サーバ用データ処理部３３０は、主にＣＰＵ、ＲＯＭ、ＲＡＭ及びハードディスクによって構成され、所定のアプリケーション上で所定のプログラムが実行されることによってスタンプラリーを実行する際に必要な各種の機能、すなわち、携帯用端末装置１００におけるスタンプ情報に関する取得状況の管理及び当該携帯用端末装置１００の位置管理、一次スタンプ情報の管理、並びに、クーポン情報の管理を行うようになっている。例えば、ＲＯＭには、各部を制御するための各種制御情報が記録されるとともに、ハードディスクには、制御プログラムまたはＯＳ（Ｏｐｅｒａｔｉｎｇ  Ｓｙｓｔｅｍ）などの各種プログラムが記録されている。また、ＣＰＵは、ハードディスクに記録されたプログラムを実行することにより、上述の各部を制御し、ＲＡＭは、ワークエリアとして用いられる。
【０１１８】
また、このサーバ用データ処理部３３０は、所定のアプリケーションを起動することによって、図５に示すように、携帯用端末装置１００における一次スタンプ情報（具体的には、スタンプ端末ＩＤ及びそのコンテンツ情報）及び二次スタンプ情報の管理を行うとともに、携帯用端末装置１００の現在位置を管理する端末装置管理部３３１と、携帯用端末装置１００の要求に基づくスタンプ情報取得状況提供処理を実行するスタンプ情報取得状況提供処理部３３２と、クーポン情報の管理をするクーポン情報管理部３３３と、を構築する。
【０１１９】
２．サーバ用データ処理部；
次に、図５を用いて本実施形態のサーバ用データ処理部３３０における各部の構成及びその動作の詳細について説明する。
【０１２０】
端末装置管理部３３１は、サーバ用通信インターフェース３１０と連動し、携帯用端末装置１００及びスタンプ端末装置２００とデータの授受を行うことによって各携帯用端末装置のスタンプ情報の管理及びその位置管理などを行う。具体的には、端末装置管理部３３１は、携帯用端末装置１００がスタンプ端末装置２００にスタンプ端末ＩＤの提供を要求し、所定のデータの授受が実行された場合には、スタンプ端末装置２００を介してまたは携帯用端末装置１００から当該携帯用端末装置１００における携帯端末ＩＤ及び取得済み一次スタンプ情報を受信する。また、端末装置管理部３３１は、データの授受が実行されているスタンプ端末装置２００のスタンプ端末ＩＤを受信し、または、受信したデータから（すなわち、スタンプ端末装置２００が携帯用端末装置１００に提供したＵＲＬの情報から）スタンプ端末ＩＤを認識する。そして、端末装置管理部３３１は、受信した携帯端末ＩＤ及び取得済み一次スタンプ情報と、受信したまたは認識したスタンプ端末ＩＤに基づいて、スタンプ端末装置２００における一次スタンプ情報の配信の可否を判断する。例えば、端末装置管理部３３１は、取得済みスタンプ情報にアクセスされたスタンプ端末装置２００のスタンプ端末ＩＤが含まれているか否かを判断することによって、スタンプ端末装置２００における一次スタンプ情報の配信の可否を判断する。
【０１２１】
端末装置管理部３３１は、スタンプ端末装置２００における一次スタンプ情報の配信の可否判断において、一次スタンプ情報の配信が可能であると判断した場合には、スタンプ端末装置２００を介してまたは直接に一次スタンプ情報（すなわち、スタンプ端末ＩＤとそのコンテンツ情報）を携帯用端末装置１００に送信する。このとき、端末装置管理部３３１は、受信した携帯端末ＩＤと受信したまたは認識したスタンプ端末ＩＤに基づいてデータベース３２０に記憶されている参加者情報の取得済みスタンプ端末ＩＤにおける情報の更新（当該スタンプ端末ＩＤを追加するデータ更新）を行う。
【０１２２】
なお、端末装置管理部３３１は、一次スタンプ情報の配信が不可能であると判断した場合には、すなわち、携帯用端末装置１００がアクセスしたスタンプ端末装置２００における一次スタンプ情報が取得済みの場合には、スタンプ端末装置２００を介してまたはサーバ用通信インターフェース３１０を介して直接その旨を携帯用端末装置１００に送信する。このとき、端末装置管理部３３１は、データベース３２０の参加者情報については更新を行わない。
【０１２３】
一方、端末装置管理部３３１は、任意の携帯用端末装置１００において二次スタンプ情報の取得に伴って所定のスタンプ端末ＩＤが取得したと認容された場合に、当該携帯用端末装置１００から携帯端末ＩＤ及びスタンプ端末ＩＤを受信すると、該当するスタンプ端末ＩＤに対応付けて記憶されているコンテンツ情報、すなわち、ＵＲＬの情報を携帯用端末装置１００に配信する。このとき、端末装置管理部３３１は、受信した携帯端末ＩＤとスタンプ端末ＩＤに基づいてデータベース３２０に記憶されている参加者情報の取得済みスタンプ端末ＩＤを更新させる。
【０１２４】
他方、端末装置管理部３３１は、予め定められた時間毎に参加者の各携帯用端末装置１００における位置情報が算出（検出）される毎に、携帯用端末装置１００の携帯端末ＩＤと位置情報を受信し、受信した携帯端末ＩＤ及び位置情報に基づいて当該携帯端末ＩＤに対応付けてデータベース３２０に記憶されている位置情報を更新する。
【０１２５】
スタンプ情報取得状況提供処理部３３２は、サーバ用通信インターフェース３１０と連動し、任意の携帯用端末装置１００からスタンプ情報取得状況を表示させたい旨を示す表示要求を携帯端末ＩＤとともに受信した場合に、スタンプ情報取得状況提供処理を実行する。具体的には、スタンプ情報取得状況提供処理部３３２は、当該表示要求とともに受信した携帯用端末装置１００の位置情報及び方向情報とに基づいて、当該表示要求を行った携帯用端末装置１００の撮像カメラ部１０３によって撮像されている基準点と当該基準点からの撮像方向を算出する。また、スタンプ情報取得状況提供処理部３３２は、基準点及び当該基準点からの撮像方向とデータベース３２０に記録されている他の携帯用端末装置１００における位置情報に基づいて、基準点から撮像方向に存在する携帯用端末装置１００を検出し、当該検出された携帯用端末装置１００と表示要求を行った携帯用端末装置１００との距離を算出する。そして、スタンプ情報取得状況提供処理部３３２は、検出した携帯用端末装置１００における取得済み一次スタンプ情報（具体的には、取得済みスタンプ端末ＩＤ）と、算出された距離を示す距離情報及びその方向を示す方向情報と、を対応付けてスタンプ情報取得状況情報として、取得要求を行った携帯用端末装置１００に送信する。
【０１２６】
なお、スタンプ情報取得状況提供処理部３３２は、取得要求を行った携帯用端末装置１００において、撮像カメラ部１０３によって撮像されている方向に存在する複数の携帯用端末装置１００を検出した場合には、検出した全ての携帯用端末装置１００における取得要求を行った携帯用端末装置１００との距離を算出してスタンプ情報取得状況情報を、当該取得要求を行った携帯用端末装置１００に送信する。
【０１２７】
クーポン情報管理部３３３は、携帯用端末装置１００の要求に従ってデータベース３２０に記憶されているクーポン情報（ＵＲＬの情報）を、サーバ用通信インターフェース３１０を介して当該要求を行った携帯用端末装置１００に送信する。上述のように、携帯用端末装置１００においてクーポン取得の可否が既に判断されており、クーポン情報の要求を受信した場合には、クーポン情報管理部３３３は、要求した携帯用端末装置１００がクーポン情報を取得するための条件が具備されたものとして判断してデータベース３２０に記憶されているクーポン情報（ＵＲＬのアドレス情報）を、当該要求を行った携帯用端末装置１００に送信する。
【０１２８】
なお、クーポン情報管理部３３３は、携帯用端末装置１００が一次スタンプ情報を取得する毎に、または、取得した二次スタンプ情報の種別におけるデータ数が予め設定されたデータ数になったか否かを判断した後に、携帯用端末装置１００と連動して、クーポン情報が取得可能か否かを判断するようにしてもよい。
【０１２９】
＜一次スタンプ情報取得処理＞
次に、図７及び図８を用いて本実施形態の携帯用端末装置１００、スタンプ端末装置２００及び管理サーバ装置３００における一次スタンプ情報取得処理について説明する。
【０１３０】
１．近距離無線通信を用いた場合；
まず、図７を用いて本実施形態の携帯用端末装置１００、スタンプ端末装置２００及び管理サーバ装置３００において、近距離無線通信を用いた場合のそれぞれの一次スタンプ情報取得処理について説明する。なお、図７は、本実施形態の携帯用端末装置１００、スタンプ端末装置２００及び管理サーバ装置３００において、近距離無線通信を用いた場合におけるそれぞれの一次スタンプ情報取得処理の動作を示すフローチャートである。
【０１３１】
本動作においては、ＲＦＩＤの近距離無線通信によって携帯用端末装置１００とスタンプ端末装置２００とのデータの授受が行われるものとして説明する。また、携帯用端末装置１００は、既にスタンプラリーアプリを起動しているものとし、各スタンプ端末装置２００にはそれぞれ固有のスタンプ端末ＩＤが割り当てられているものとする。
【０１３２】
まず、参加者が携帯用端末装置１００をスタンプ端末装置２００に接近させることによって、端末用通信インターフェース１０１に組み込まれているＲＦＩＤタグがその接近を検出すると（ステップＳ１０１）、一次スタンプ情報取得処理部１２１は、データ記憶部１０２から自己の携帯端末ＩＤ及び取得済み一次スタンプ情報（具体的には、取得済みスタンプ端末ＩＤ）を読み出すとともに、当該読み出した携帯端末ＩＤ及び取得済みスタンプ端末ＩＤを、端末用通信インターフェース１０１を介してスタンプ端末装置２００に送信する（ステップＳ１０２）。
【０１３３】
なお、端末用通信インターフェース１０１は、スタンプ端末装置２００のリーダ・ライタに接近すると、当該リーダ・ライタが発生させている磁界エネルギーを検出するので、当該磁界エネルギーを検出することによってリーダ・ライタにおける接近を検出することができるようになっている。また、一次スタンプ情報取得処理部１２１は、読み出した携帯端末ＩＤ及び取得済みスタンプ端末ＩＤをスタンプ端末装置２００に送信すると、当該スタンプ端末装置２００から送信される所定のデータを受信するまで次の処理の実行を待機する。
【０１３４】
次いで、スタンプ端末装置２００は、図示しないリーダ・ライタによって携帯用端末装置１００から送信された携帯端末ＩＤ及び取得済みスタンプ端末ＩＤを受信すると（端末ＩＤの受信（ステップＳ２０１））、管理サーバ装置３００に通信回線の確立を要求して当該通信回線を確立し、受信した携帯端末ＩＤ及び取得済みスタンプ端末ＩＤと自己のスタンプ端末ＩＤを当該管理サーバ装置３００に送信する（ステップＳ２０２）、なお、スタンプ端末装置２００は、管理サーバ装置３００から送信される所定のデータを受信するまで次の処理の実行を待機する。
【０１３５】
次いで、管理サーバ装置３００において、サーバ用通信インターフェース３１０がスタンプ端末装置２００の要求に従って当該スタンプ端末装置２００との通信回線を確立し、当該スタンプ端末装置２００から送信された携帯端末ＩＤ、取得済みスタンプ端末ＩＤ及び当該データを送信したスタンプ端末装置２００のスタンプ端末ＩＤを受信すると（端末ＩＤの受信（ステップＳ３０１））、端末装置管理部３３１は、通信回線を確立したスタンプ端末装置２００における一次スタンプ情報の配信の可否を判断する（ステップＳ３０２）。具体的には、端末装置管理部３３１は、受信した携帯端末ＩＤに基づいて、データベース３２０に記憶されている該当する携帯用端末装置１００の取得済みスタンプ情報に、受信したスタンプ端末ＩＤが含まれているか否かを判断する。
【０１３６】
次いで、端末装置管理部３３１は、スタンプ端末装置２００における一次スタンプ情報の配信をしないと判断した場合には（ステップＳ３０２：Ｎｏ）、その旨を示すデータ、すなわち、配信キャンセル告知データ（以下、「キャンセルデータ」ともいう。）をスタンプ端末装置２００に送信して（ステップＳ３０３）、管理サーバ装置３００としての本動作を終了させる。
【０１３７】
また、端末装置管理部３３１は、スタンプ端末装置２００における一次スタンプ情報の配信を行うと判断した場合には（ステップＳ３０２：Ｙｅｓ）、コンテンツ情報をスタンプ端末装置２００に送信する（ステップＳ３０４）。
【０１３８】
次いで、端末装置管理部３３１は、受信したスタンプ端末装置２００のスタンプ端末ＩＤに基づいてデータベース３２０に記憶されている参加者情報における取得済みスタンプ端末ＩＤの情報を更新させ（ステップＳ３０５）、管理サーバ装置３００としての本動作を終了させる。
【０１３９】
一方、スタンプ端末装置２００は、管理サーバ装置３００から送信されたデータを検出すると（ステップＳ２０３）、検出されたデータが配信キャンセル告知データ（キャンセルデータ）か、コンテンツ情報かを判断する（ステップＳ２０４）。
【０１４０】
次いで、スタンプ端末装置２００は、検出されたデータが配信キャンセル告知データと判断した場合には（ステップＳ２０４：キャンセルデータ）、その旨を示すデータ、すなわち、配信キャンセル告知データを携帯用端末装置１００に送信して（ステップＳ２０５）、スタンプ端末装置２００としての本動作を終了させる。
【０１４１】
また、スタンプ端末装置２００は、検出されたデータがコンテンツ情報であると判断した場合には（ステップＳ２０４：）、自己が有するスタンプ端末ＩＤ及び管理サーバ装置３００から送信されたコンテンツ情報を含む一次スタンプ情報を携帯用端末装置１００に送信し（ステップＳ２０６）、スタンプ端末装置２００としての本動作を終了させる。
【０１４２】
他方、携帯用端末装置１００においては、端末用通信インターフェース１０１によってスタンプ端末装置２００からのデータを検出すると（ステップＳ１０３）、一次スタンプ情報取得処理部１２１は、検出されたデータが配信キャンセル告知データ（キャンセルデータ）か一次スタンプ情報かを判断する（ステップＳ１０４）。
【０１４３】
次いで、一次スタンプ情報取得処理部１２１が、検出されたデータが配信キャンセル告知データと判断した場合には（ステップＳ１０４：キャンセルデータ）、その旨を表示手段に表示させ（ステップＳ１０５）、携帯用端末装置１００としての本動作を終了させる。例えば、一次スタンプ情報取得処理部１２１は、表示制御部１０５と連動して表示部１０４に「スタンプ情報は取得済みです」という告知画像を表示させる。
【０１４４】
また、一次スタンプ情報取得処理部１２１が、検出されたデータが一次スタンプ情報と判断した場合には（ステップＳ１０４：スタンプ情報）、検出した一次スタンプ情報に基づいてデータ記憶部１０２に記憶されている取得済みスタンプ端末ＩＤを更新し、かつ、コンテンツ情報を記憶させる（ステップＳ１０６）。
【０１４５】
次いで、一次スタンプ情報取得処理部１２１は、表示制御部１０５と連動して、記憶したコンテンツ情報を表示部１０４に表示させ（ステップＳ１０７）、携帯用端末装置１００における本動作を終了させる。なお、本実施形態においては、コンテンツ情報は、ＵＲＬであるので、一次スタンプ情報取得処理部１２１は、端末用通信インターフェース１０１を介して管理サーバ装置３００にアクセスして該当するＵＲＬを有するＷｅｂページデータを取得するとともに、参加者に閲覧可能に表示部１０４に表示させる。
【０１４６】
２．２次元バーコードを用いた場合；
次に、図８を用いて本実施形態の携帯用端末装置１００、スタンプ端末装置２００及び管理サーバ装置３００において、２次元バーコードを用いた場合のそれぞれの一次スタンプ情報取得処理について説明する。なお、図８は、本実施形態の携帯用端末装置１００、スタンプ端末装置２００及び管理サーバ装置３００において、２次元バーコードを用いた場合におけるそれぞれの一次スタンプ情報取得処理の動作を示すフローチャートである。
【０１４７】
本動作においては、携帯用端末装置１００は既にスタンプラリーアプリを起動しているものとし、スタンプ端末装置２００には一のスタンプ端末ＩＤが割り当てられているとともに、既に表示手段に２次元バーコードが表示されているものとする。
【０１４８】
まず、携帯用端末装置１００において、操作部１０８の操作によりスタンプ端末装置２００の図示しない表示手段に表示されている２次元バーコードを撮像カメラ部１０３によって撮像すると（ステップＳ１２１）、一次スタンプ情報取得処理部１２１は、撮像された画像から２次元バーコードを取得するとともに、２次元バーコードにバーコード化されたＵＲＬをテキストデータに変換する（ステップＳ１２２）。
【０１４９】
次いで、一次スタンプ情報取得処理部１２１は、端末用通信インターフェース１０１を介してテキスト化されたＵＲＬに基づいて、管理サーバ装置３００にアクセスして該当するＷｅｂページデータを取得し、参加者に閲覧可能に表示部１０４に表示させる（ステップＳ１２３）。例えば、表示部１０４には、スタンプ端末装置２００に基づいて規定されたスタンプ情報の配信を実行する旨を告知する画像と当該スタンプ情報を配信するためのＵＲＬが表示される。
【０１５０】
次いで、操作部１０８を介して表示部１０４に表示されたスタンプ情報を配信するためのＵＲＬが指定されると（ステップＳ１２４）、一次スタンプ情報取得処理部１２１は、端末用通信インターフェース１０１と連動しつつ、Ｗｅｂページデータを介して自己の携帯端末ＩＤ及び取得済み一次スタンプ情報を管理サーバ装置３００に送信する（スタンプＳ１２５）。
【０１５１】
管理サーバ装置３００においては、端末装置管理部３３１は、サーバ用通信インターフェース３１０と連動しつつ、Ｗｅｂページデータの通信機能を介して、携帯用端末装置１００において指定されたＵＲＬに基づいて配信するスタンプ端末ＩＤを認識するとともに、送信された携帯端末ＩＤ及び取得済みスタンプ端末ＩＤを受信する（ステップＳ３２１）。
【０１５２】
次いで、端末装置管理部３３１は、認識したスタンプ端末ＩＤと受信した携帯端末ＩＤ及び取得済みスタンプ端末ＩＤに基づいて、携帯用端末装置１００への一次スタンプ情報の配信の可否を判断する（ステップＳ３２２）。具体的には、端末装置管理部３３１は、受信した携帯端末ＩＤに基づいてデータベース３２０に記憶されている該当する携帯用端末装置１００の取得済みスタンプ情報に認識したスタンプ端末ＩＤが含まれているか否かを判断する。
【０１５３】
このとき、端末装置管理部３３１は、携帯用端末装置１００への一次スタンプ情報の配信をしないと判断した場合には（ステップＳ３２２：Ｎｏ）、サーバ用通信インターフェース３１０を介してその旨を示すデータ、すなわち、配信キャンセル告知データを携帯用端末装置１００においてＷｅｂページデータにて閲覧可能に送信して（ステップＳ３２３）、管理サーバ装置３００としての本動作を終了させる。
【０１５４】
また、端末装置管理部３３１は、携帯用端末装置１００への一次スタンプ情報の配信を行うと判断した場合には（ステップＳ３２２：Ｙｅｓ）、サーバ用通信インターフェース３１０と連動しつつ、Ｗｅｂページデータの通信機能を介して認識したスタンプ端末ＩＤにおけるコンテンツ情報をスタンプ端末装置２００に送信する（ステップＳ３２４）。
【０１５５】
次いで、端末装置管理部３３１は、受信した携帯端末ＩＤ及び認識したスタンプ端末ＩＤに基づいて、データベース３２０に記憶されている取得済みスタンプ端末ＩＤの情報を更新させて（ステップＳ３２４）、管理サーバ装置３００における本動作を終了させる。
【０１５６】
一方、携帯用端末装置１００においては、一次スタンプ情報取得処理部１２１は、端末用通信インターフェース１０１と連動し、Ｗｅｂページデータの通信機能を介して管理サーバ装置３００から送信されたデータを受信すると（ステップＳ１２６）、受信したデータが配信キャンセル告知データか一次スタンプ情報であるか否かを判断する（ステップＳ１２７）。
【０１５７】
このとき、一次スタンプ情報取得処理部１２１は、受信したデータが配信キャンセル告知データであると判断した場合には（ステップＳ１２７：キャンセルデータ）、その旨を表示部１０４に表示されているＷｅｂページデータ内に表示させて（ステップＳ１２８）、携帯用端末装置１００における本動作を終了させる。
【０１５８】
また、一次スタンプ情報取得処理部１２１は、受信したデータが一次スタンプ情報と判断した場合には（ステップＳ１２７：スタンプ情報）、当該一次スタンプ情報に基づいてデータ記憶部１０２に記憶されている取得済みスタンプ端末ＩＤを更新し、かつ、コンテンツ情報をデータ記憶部１０２に記憶させる（ステップＳ１２９）。
【０１５９】
次いで、一次スタンプ情報取得処理部１２１は、表示制御部１０５と連動して、記憶したコンテンツ情報を表示部１０４に表示させ（ステップＳ１３０）、携帯用端末装置１００における本動作を終了させる。なお、本実施形態においては、コンテンツ情報は、ＵＲＬのアドレス情報であるので、一次スタンプ情報取得処理部１２１は、端末用通信インターフェース１０１を介して管理サーバ装置３００にアクセスして該当するＵＲＬを有するＷｅｂページデータを取得するとともに、参加者に閲覧可能に表示部１０４に表示させる。
【０１６０】
＜すれ違い通信＞
次に、図９及び図１０を用いて本実施形態の携帯用端末装置１００同士のすれ違い通信及びそれに伴う管理サーバ装置３００におけるコンテンツ情報の配信処理について説明する。なお、図９及び図１０は、本実施形態の携帯用端末装置１００同士のすれ違い通信及びそれに伴う管理サーバ装置３００におけるコンテンツ情報の配信処理の動作を示すフローチャートである。
【０１６１】
本動作においては、携帯用端末装置１００は、既にスタンプラリーアプリを起動しているものとし、携帯用端末装置１００Ａが携帯用端末装置１００Ｂとすれ違い通信を行うものとして説明する。また、本動作においては、携帯用端末装置１００Ａと携帯用端末装置１００Ｂとはそれぞれの通信範囲に属しているものとし、携帯用端末装置１００Ａにおいて二次スタンプ情報の取得処理を行うとともに、携帯用端末装置１００Ｂにおいて二次スタンプ情報の提供処理を行うものとする。
【０１６２】
以下の説明においては、端末用データ処理部の制御の下、ＢＬＵＥＴＯＯＴＨ（登録商標）の通信形式を用いて携帯用端末装置１００間の通信回線を確立及び当該確立された通信回線によってデータの授受を行うようになっている。また、以下の説明においては、二次スタンプ情報の取得処理側である携帯用端末装置１００Ａから通信回線の確立要求（ＩＤパケットの送信）を行っているが、これに限らず、二次スタンプ情報の提供処理側である携帯用端末装置１００Ｂから通信回線の確立要求（ＩＤパケットの送信）を行ってもよい。
【０１６３】
なお、携帯用端末装置１００Ａの各部材には「Ａ」を付し、携帯用端末装置１００Ｂの各部材には、「Ｂ」を付して以下に説明する。また、本動作は、携帯用端末装置１００Ａからの本動作の終了後には、携帯用端末装置１００Ａと携帯用端末装置１００Ｂの処理が入れ替わり、携帯用端末装置１００Ｂにおいて二次スタンプ情報の取得処理を開始するとともに、携帯用端末装置１００Ａにおいて二次スタンプ情報の提供処理を開始する。ただし、通信回線はそのまま維持して互いの処理を続けて行ってもよいし、一度通信回線を解除して再度確立し、互いの処理を行うようにしてもよい。
【０１６４】
まず、携帯用端末装置１００Ａにおいて、すれ違い通信制御部１２２Ａは、携帯用端末装置１００Ｂとの通信回線の確立のために携帯端末ＩＤ（Ａ）を付したＩＤパケットを、端末用通信インターフェース１０１Ａを介して送信する（ステップＳ４０１）。
【０１６５】
次いで、すれ違い通信制御部１２２Ａは、一定時間内に他の携帯用端末装置１００（すなわち、携帯用端末装置１００Ｂ）から送信された応答パケットを受信したか否かを判断する（ステップＳ４０２）。そして、すれ違い通信制御部１２２Ａは、一定時間内に携帯用端末装置１００Ｂから送信され応答パケットを受信しない場合には（ステップＳ４０２：Ｎｏ）、ステップＳ４０１の処理に戻り、一定時間内に携帯用端末装置１００Ｂから送信され応答パケットを一定時間内に受信した場合には（ステップＳ４０２：Ｙｅｓ）、ステップＳ４０３の処理に移行する。
【０１６６】
このとき、携帯用端末装置１００Ｂにおいては、端末用通信インターフェース１０１Ｂによって携帯用端末装置１００Ａから送信されたＩＤパケットが検出されると（ステップＳ５０１）、すれ違い通信制御部１２２Ｂは、端末用通信インターフェース１０１を介して携帯端末ＩＤ（Ｂ）を付した応答パケットを携帯用端末装置１００Ｂに送信する（ステップＳ５０２）。そして、すれ違い通信制御部１２２Ｂは、同期信号及び通信チャンネル情報などの所定のデータを受信するまで次の処理の実行を待機する。
【０１６７】
次いで、携帯用端末装置１００Ａにおいては、すれ違い通信制御部１２２Ａは、ステップＳ４０２の処理において携帯用端末装置１００Ｂからの応答パケットを受信すると、携帯用端末装置１００Ｂとの通信回線を確立させる（ステップＳ４０３）。具体的には、すれ違い通信制御部１２２Ａは、携帯用端末装置１００Ｂとの通信チャンネルを決定し、かつ、同期信号とともに通信チャンネルの情報を携帯用端末装置１００Ｂに端末用通信インターフェース１０１Ｂを介して送信する。
【０１６８】
次いで、二次スタンプ情報取得処理部１２４Ａは、データ記憶部１０２Ａから自己の携帯端末ＩＤ（Ａ）と取得済みスタンプ端末ＩＤ（Ａ）を読み出し、通信インターフェースＡを介して読み出した自己の携帯端末ＩＤ（Ａ）及び取得済みスタンプ端末ＩＤ（Ａ）を携帯用端末装置１００Ｂに送信する（ステップＳ４０４）。なお、二次スタンプ情報取得処理部１２４Ａは、携帯用端末装置１００Ｂから送信された所定のデータを受信するまで次の処理の実行を待機する。
【０１６９】
一方、携帯用端末装置１００Ｂにおいては、端末用通信インターフェース１０１Ｂによって同期信号及び通信チャンネル情報を受信すると（ステップＳ５０３）、すれ違い通信制御部１２２Ｂは、携帯用端末装置１００Ａとの通信回線を確立させる（ステップＳ５０４）。
【０１７０】
次いで、端末用通信インターフェース１０１Ｂによって携帯端末ＩＤ（Ａ）と取得済みスタンプ端末ＩＤ（Ａ）を受信すると（端末ＩＤの受信（ステップＳ５０５））、二次スタンプ情報提供処理部１２３Ｂは、データ記憶部１０２Ｂに記憶されているすれ違い済み携帯端末ＩＤ（Ｂ）及びすれ違い済み携帯端末ＩＤ毎のすれ違い回数（Ｂ）と取得済みのスタンプ端末ＩＤ（Ｂ）を読み出す（ステップＳ５０６）。
【０１７１】
次いで、二次スタンプ情報提供処理部１２３Ｂは、読み出したすれ違い済み携帯端末ＩＤ（Ｂ）、すれ違い済み携帯端末ＩＤ毎のすれ違い回数（Ｂ）及び取得済みのスタンプ端末ＩＤ（Ｂ）と受信した携帯端末ＩＤ（Ａ）及び取得済みスタンプ端末ＩＤ（Ａ）とに基づいて、携帯用端末装置１００Ａに対して二次スタンプ情報が提供可能か否かを判断する（ステップＳ５０７）。具体的には、二次スタンプ情報提供処理部１２３Ｂは、読み出したすれ違い済み携帯端末ＩＤ（Ｂ）及びすれ違い済み携帯端末ＩＤ毎のすれ違い回数（Ｂ）に基づいて、受信した携帯端末ＩＤ（Ａ）が回数制限に該当するか否かを判断する。すなわち、二次スタンプ情報提供処理部１２３Ｂは、受信した携帯端末ＩＤ（Ａ）と同一のすれ違い済み携帯端末ＩＤ（Ｂ）におけるすれ違い回数（Ｂ）が所定回数以上か否かを判断する。また、二次スタンプ情報提供処理部１２３Ｂは、受信した取得済みスタンプ端末ＩＤ（Ａ）が取得済みスタンプ端末ＩＤ（Ｂ）の何れかと一致する否かを判断する。
【０１７２】
そして、二次スタンプ情報提供処理部１２３Ｂは、携帯用端末装置１００Ａに対して二次スタンプ情報の提供が可能と判断した場合には（ステップＳ５０７：Ｙｅｓ）、ステップＳ５０９に移行し、二次スタンプ情報の提供が不可能と判断した場合には（ステップＳ５０７：Ｎｏ）、二次スタンプ情報の提供が不可能である旨を示すデータ（以下、「提供不能告知データ」という。）を、端末用通信インターフェース１０１Ｂを介して携帯用端末装置１００Ａに送信して（ステップＳ５０８）、携帯用端末装置１００Ｂにおける本動作を終了させる。なお、二次スタンプ情報提供処理部１２３Ｂは、ステップＳ５０８の処理において、提供不能データの送信後に携帯用端末装置１００Ａとの通信回線を解除する。
【０１７３】
また、二次スタンプ情報提供処理部１２３Ｂは、ステップＳ５０７の処理において携帯用端末装置１００Ａに対して二次スタンプ情報の提供が可能と判断した場合には、スタンプ管理情報に含まれるすれ違い済み携帯端末ＩＤ（Ｂ）中から受信したスタンプ端末ＩＤ（Ａ）と非同一のスタンプ端末ＩＤを一つ選択する（ステップＳ５０９）。例えば、二次スタンプ情報提供処理部１２３Ｂは、乱数を用いてスタンプ管理情報に含まれるすれ違い済み携帯端末ＩＤ（Ｂ）中から受信したスタンプ端末ＩＤ（Ａ）と非同一のスタンプ端末ＩＤをランダムに選択する。
【０１７４】
次いで、二次スタンプ情報提供処理部１２３Ｂは、選択したスタンプ端末ＩＤ（Ｂ）を二次スタンプ情報として端末用通信インターフェース１０１Ｂを介して携帯用端末装置１００Ａに送信して（ステップＳ５１０）、携帯用端末装置１００Ｂにおける本動作を終了させる。なお、二次スタンプ情報提供処理部１２３Ｂは、ステップＳ５１０の処理において二次スタンプ情報の送信後、端末用通信インターフェース１０１Ｂを制御して携帯用端末装置１００Ａとの通信回線を解除する
【０１７５】
他方、携帯用端末装置１００Ａにおいては、二次スタンプ情報取得処理部１２４Ａは、携帯用端末装置１００Ｂから送信されたデータを受信すると（ステップＳ４０５）、受信したデータが提供不能データか二次スタンプ情報かを判断する（ステップＳ４０６）。
【０１７６】
このとき、二次スタンプ情報取得処理部１２４Ａは、提供不能告知データを受信したと判断すると（ステップＳ４０６：提供不能）、二次スタンプ情報の提供が不可能である旨を表示部１０４Ａに表示させ（ステップＳ４０７）、携帯用端末装置１００Ａにおける本動作を終了させる。なお、二次スタンプ情報取得処理部１２４Ａは、ステップＳ４０７の処理において端末用通信インターフェース１０１Ａを制御して携帯用端末装置１００Ｂとの通信回線を解除する。
【０１７７】
また、二次スタンプ情報取得処理部１２４Ａは、二次スタンプ情報を受信したと判断すると（ステップＳ４０６：提供可能）、受信した二次スタンプ情報に基づいてデータ記憶部１０２Ａに記憶されているすれ違い通信スタンプ情報を更新するとともに、携帯端末ＩＤ（Ｂ）に基づいてすれ違い済み携帯端末ＩＤ及びその回数の情報を更新する（ステップＳ４０８）。なお、このとき、二次スタンプ情報取得処理部１２４Ａは、携帯用端末装置１００Ｂとの通信回線を解除する。
【０１７８】
次いで、スタンプ情報管理部１２５Ａは、更新されたすれ違い通信スタンプ情報に基づいて、該当する一次スタンプ情報の取得要件を具備したか否かを判断する（ステップＳ４０９）。具体的には、スタンプ情報管理部１２５Ａは、更新した二次スタンプ情報の種別におけるデータ数が予め設定されたデータ数（例えば、５）となった否かを判断する。このとき、スタンプ情報管理部１２５Ａは、更新した二次スタンプ情報に基づいて該当する一次スタンプ情報の取得要件を具備していないと判断した場合には（ステップＳ４０９：Ｎｏ）、表示部１０４Ａにすれ違い通信の終了を告知して（ステップＳ４１０）、本動作を終了させる。
【０１７９】
また、スタンプ情報管理部１２５Ａは、更新した二次スタンプ情報に基づいて該当する一次スタンプ情報の取得要件を具備したと判断した場合には（ステップＳ４０９：Ｙｅｓ）、取得済みスタンプ端末ＩＤを更新し（ステップＳ４１１）、端末用通信インターフェース１０１Ａに管理サーバ装置３００との通信回線の確立を要求させつつ、該当するスタンプ端末ＩＤを自己の携帯端末ＩＤとともに当該管理サーバ装置３００に送信する（ステップＳ４１２）。なお、スタンプ情報管理部１２５Ａは、コンテンツ情報を受信するまで次の処理の実行を待機する。
【０１８０】
一方、管理サーバ装置３００においては、携帯用端末装置１００Ａからの要求に伴ってサーバ用通信インターフェース３１０が通信回線を確立し、取得したと認容されたスタンプ端末ＩＤと携帯端末ＩＤを受信すると（ステップＳ６０１）、端末装置管理部３３１は、データベース３２０における受信した携帯端末ＩＤにおける取得済みスタンプ端末ＩＤを更新する（ステップＳ６０２）。
【０１８１】
次いで、端末装置管理部３３１は、該当するコンテンツ情報を、サーバ用通信インターフェース３１０を介して携帯用端末装置１００Ｂに送信して（ステップＳ６０３）、管理サーバ装置３００の本動作を終了させる。このとき、サーバ用通信インターフェース３１０は、携帯用端末装置１００Ｂとの通信回線を解除する。
【０１８２】
他方、携帯用端末装置１００Ａにおいては、端末用通信インターフェース１０１が管理サーバ装置３００から送信されたコンテンツ情報を受信すると（ステップＳ４１３）、スタンプ情報管理部１２５Ａは、受信したコンテンツ情報をデータ記憶部１０２に記憶するともに、当該コンテンツ情報におけるＵＲＬに基づいて管理サーバ装置３００から該当するＷｅｂページデータを取得してコンテンツ情報を参加者に閲覧可能に表示部１０４に表示させ（ステップＳ４１４）、携帯用端末装置１００Ａにおける本動作を終了させる。なお、ステップＳ４１３の処理において、端末用通信インターフェース１０１は、コンテンツ情報の受信後に管理サーバ装置３００との通信回線を解除する。
【０１８３】
なお、本動作においては、携帯用端末装置１００Ａ及び携帯用端末装置１００Ｂは、本動作の終了後に、通信回線を再確立して二次スタンプ情報の提供処理と二次スタンプ情報取得処理を入れ替えて再度上記の処理を行う。また、それぞれ本動作終了後に通信回線を解除せずに、そのまま維持し上記の各処理を行ってもよい。
【０１８４】
＜周囲スタンプ情報表示処理＞
次に、図１１を用いて本実施形態の携帯用端末装置１００における周囲スタンプ情報表示処理及びそれに伴う管理サーバ装置３００のスタンプ情報取得状況提供処理について説明する。なお、図１１は、本実施形態の携帯用端末装置１００における周囲スタンプ情報表示処理及びそれに伴う管理サーバ装置３００のスタンプ情報取得状況提供処理の動作を示すフローチャートである。
【０１８５】
本動作においては、携帯用端末装置１００は、既にスタンプラリーアプリを起動しているものとし、管理サーバ装置３００のデータベース３２０には、参加している携帯用端末装置１００の現在位置を示す現在位置情報が記録されているものとする。
【０１８６】
まず、携帯用端末装置１００において、周囲スタンプ情報表示処理部１２６が、操作部１０８による入力に基づいて周囲スタンプ情報表示処理の起動を検出すると（ステップＳ７０１）、周囲スタンプ情報表示処理は、撮像カメラ部１０３を起動させるとともに表示制御部１０５を制御して当該撮像カメラ部１０３によって撮像されている撮像領域の表示部１０４への表示を開始する（ステップＳ７０２）。なお、表示部１０４は、表示制御部１０５の下、周囲スタンプ情報処理が終了するまで、撮像カメラ部１０３によって撮像されている撮像領域を表示する。
【０１８７】
次いで、周囲スタンプ情報表示処理部１２６は、操作部１０８によって周囲スタンプ情報の表示を実行する旨の操作が入力されると（スタンプＳ７０３）、被写範囲１０を確定し、現在位置検出部１０６及び方向検出部１０７から携帯用端末装置１００の位置情報を及び撮像カメラ部１０３の方向情報を取得する（ステップＳ７０４）。
【０１８８】
次いで、周囲スタンプ情報表示処理部１２６は、端末用通信インターフェース１０１を介して管理サーバ装置３００に通信回線の確立を要求して当該通信回線を確立し、携帯端末ＩＤ及びスタンプ情報取得状況を表示させたい旨を示す表示要求とともに、取得した位置情報及び方向情報を管理サーバ装置３００に送信する（ステップＳ７０５）。なお、周囲スタンプ情報表示処理は、管理サーバ装置３００から送信されるスタンプ情報取得状況情報を受信するまで次の処理の実行を待機する。
【０１８９】
一方、管理サーバ装置３００においては、サーバ用通信インターフェース３１０が、携帯用端末装置１００からの確立要求に伴って当該携帯用端末装置１００との通信回線を確立し、受信した表示要求とともに携帯用端末装置１００の携帯端末ＩＤと位置情報及び方向情報を受信すると（ステップＳ８０１）、スタンプ情報取得状況提供処理部３３２は、位置情報及び方向情報に基づいて、当該携帯用端末装置１００の撮像カメラ部１０３によって撮像されている基準点と当該基準点からの撮像方向を算出する（ステップＳ８０２）。
【０１９０】
次いで、スタンプ情報取得状況提供処理部３３２は、撮像方向に存在する携帯用端末装置１００を検出し、データベース３２０から当該検出された携帯用端末装置１００の位置情報を読み出すとともに、当該検出された携帯用端末装置１００と表示要求を行った携帯用端末装置１００との距離及び方向を算出する（ステップＳ８０３）。
【０１９１】
次いで、スタンプ情報取得状況提供処理部３３２は、検出された携帯用端末装置１００毎の取得済みスタンプ端末ＩＤを取得するとともに、携帯用端末装置１００毎のスタンプ端末ＩＤと算出された距離を示す距離及び方向の情報とを対応付けてスタンプ情報取得状況情報としてサーバ用通信インターフェース３１０を介して携帯用端末装置１００に送信し（ステップＳ８０４）、管理サーバ装置３００における本動作を終了させる。なお、スタンプ情報取得状況提供処理部３３２は、スタンプ情報取得状況情報を携帯用端末装置１００に送信後にサーバ用通信インターフェース３１０を制御して通信回線を解除する。
【０１９２】
他方、携帯用端末装置１００においては、端末用通信インターフェース１０１によってスタンプ情報取得状況情報を受信すると（ステップＳ７０６）、周囲スタンプ情報表示処理部１２６は、表示制御部１０５と連動しつつ、撮像カメラ部１０３が撮像している被写範囲１０に、携帯用端末装置１００毎に取得済みスタンプ端末ＩＤを、スタンプ情報取得状況情報に含まれる距離及び方向に対応させてタグＴａｇの大きさを変えつつ、表示させ（ステップＳ７０７）、携帯用端末装置１００における本動作を終了させる。なお、周囲スタンプ情報表示処理は、取得済みスタンプ端末ＩＤを示すタグＴａｇを表示させると、端末用通信インターフェース１０１を制御して通信回線を解除する。ただし、表示部１０４は、操作部１０８における所定の操作が実行されるまで、撮像カメラ部１０３によって撮像されている被写範囲１０を表示するとともに、取得済みスタンプ端末ＩＤを示すタグＴａｇを表示させる。
【０１９３】
＜作用効果＞
以上、本実施形態の携帯用端末装置１００は、所定の距離的範囲内に他の携帯用端末装置１００が存在すると、二次スタンプ情報における携帯用端末装置１００への配信の可否を判断し、当該二次スタンプ情報の配信が可能と判断した場合に、二次スタンプ情報を、他の携帯用端末装置１００に配信することができる。
【０１９４】
すなわち、本実施形態の携帯用端末装置１００は、他の携帯用端末装置１００が所定の距離的範囲内に存在した場合に、所定の条件を具備すれば、一次スタンプ情報としてスタンプ情報が提供されている提供地の探索を実行せずにスタンプ情報を参加者端末装置に取得させることができるので、参加者に対して提供地の探索の労苦によってイベント、すなわち、スタンプラリーに対する興趣性の喪失を防止すること、それによりスタンプラリーへの参加を維持させること、及び、提供地の探索を煩雑と捉えるスタンプラリーへの非積極的な参加者に対しても当該煩雑さを解消させて当該スタンプラリーへ積極的に参加させることができる。
【０１９５】
また、本実施形態の携帯用端末装置１００は、二次スタンプ情報の他の携帯用端末装置１００への配信が可能と判断した場合に、Ｎ個の同種の二次スタンプ情報（Ｎは１以上の自然数）を取得した際に当該二次スタンプ情報と同種の１の一次特定情報が取得されたものとみなされる特性を有する特定情報を他の携帯用端末装置１００に配信するので、提供地を探索した参加者の労苦に対してインセンティブを与えることができる。
【０１９６】
この結果、本実施形態の携帯用端末装置１００は、スタンプまたはそれに用いる朱肉の管理が不要となり、または、押し間違いなどによる不正の防止など、スタンプの提供及びクーポンの提供を電子化することによっての利便性を維持しつつ、スタンプラリーとしてのイベントへの興趣性を損なうことなく、参加者数を増加させること、各参加者のイベントへの参加時間を増加させること及び参加者数の増加及び参加時間の増加に基づいて所定の領域内における参加者の周回性を向上させることができる。
【０１９７】
また、本実施形態の携帯用端末装置１００は、携帯用端末装置１００への二次スタンプ情報の提供回数に基づいて当該二次スタンプ情報の提供を制限させることによって、他の携帯用端末装置１００におけるスタンプ情報の取得に対する難易度を調整することができるので、スタンプラリー全体としての興趣性の維持またはその向上を図ることができる。
【０１９８】
また、本実施形態の携帯用端末装置１００は、通信先の他の携帯用端末装置１００が既に取得している取得済みの一次スタンプ情報の種別に基づいて、配信する二次スタンプ情報の種別を決定するので、通信先の他の携帯用端末装置１００が取得を希望していると想定されるスタンプ情報を二次スタンプ情報として提供することができる。
【０１９９】
また、本実施形態の携帯用端末装置１００は、取得した二次スタンプ情報を取得しても所定の条件を満たせば、クーポン情報を取得して表示することができるので、参加者に対して提供地の探索の労苦によってスタンプラリーに対する興趣性の喪失を防止すること、それによりスタンプラリーへの参加を維持させること、及び、提供地の探索を煩雑と捉えるスタンプラリーへの非積極的な参加者に対しても煩雑さを解消させて当該スタンプラリーへ積極的に参加させることができる。
【０２００】
また、本実施形態の携帯用端末装置１００は、撮像方向に存在する他の携帯用端末装置１００の位置と当該携帯用端末装置１００が有するスタンプ情報の種別を参加者に表示して認識させることができるので、移動するスタンプ情報の提供元を探索するという新たなゲーム性を導入することができるとともに、スタンプ端末装置２００の探索よりも簡易にスタンプ情報の提供元の探索及び発見を行うことができる。したがって、本実施形態の携帯用端末装置１００は、スタンプ情報の取得に対する難易度を高くすることなく、新たなゲーム性を導入することにより、スタンプラリーのイベント全体としての興趣性の維持またはその向上を図ることができる。
【０２０１】
また、本実施形態の携帯用端末装置１００は、自己の携帯用端末装置１００と他の携帯用端末装置１００との距離に応じてタグＴａｇの表示を変化させることができるので、撮像方向に存在する他の携帯用端末装置１００の位置と当該自己の携帯用端末装置１００が有するスタンプ情報の種別を容易に参加者に認識させることができる。
【０２０２】
また、本実施形態の携帯用端末装置１００は、スタンプ情報を配信する端末装置でもあり、参加者の周回性が向上すれば、多くの参加者が特定情報を取得することができるので、特定情報を取得する確率が高くなるとともに、参加者を探索する新たなゲーム性を参加者に提供することができる。
【０２０３】
＜変形例＞
本実施形態においては、二次スタンプ情報提供処理部１２３は、回数制限を用いて通信先携帯用端末装置１００への二次スタンプ情報の配信（提供）の可否を判断するようになっているが、すれ違い通信を行う毎にスタンプ端末ＩＤを提供した携帯用端末装置１００の携帯端末ＩＤと、当該携帯端末ＩＤに対応付けて最後に通信した際の時刻（時刻情報）を記憶し、二次スタンプ情報の授受後の一定時間内においては同一の他の携帯用端末装置１００からは二次スタンプ情報を再度提供することができないとする時間制限（例えば、同一の携帯用端末装置１００からは一時間に１度までとする時間制限）を用いて通信先携帯用端末装置１００への二次スタンプ情報の配信（提供）の可否を判断するようにしてもよい。この場合には、二次スタンプ情報提供処理部１２３は、二次スタンプ情報の配信（提供）の可否を判断する際に、現在時刻を取得し、当該可否の判断を行う。また、二次スタンプ情報提供処理部１２３は、本実施形態の回数制限とともに当該時間制限を用いて通信先携帯用端末装置１００への二次スタンプ情報の配信（提供）の可否を判断するようにしてもよい。
【０２０４】
また、本実施形態のスタンプ端末装置２００は、２次元バーコードによってまたはＲＦＩＤなどの近距離無線通信によって携帯用端末装置１００に一次スタンプ情報を直接的にまたは間接的に配信するようになっているが、スタンプ端末装置２００としての実機（ハードウェア）を用いることなく、固定化された位置情報または固定化された位置情報に対応付けて携帯用端末装置１００において閲覧可能なタグＴａｇによって一次スタンプ情報を配信するようにしてもよい。
【０２０５】
すなわち、施設内の所定の場所にマークを設け、管理サーバ装置３００は、携帯用端末装置１００と連動してスタンプ情報を提供する提供地に携帯用端末装置１００が来訪したことを検出する機能を備え、この検出に基づいてスタンプ情報を提供する提供地に来訪したことを認識し、スタンプ情報を携帯用端末装置１００に配信するようにしてもよい。例えば、管理サーバ装置３００は、携帯用端末装置１００が当該マークのある位置に来訪したことを当該携帯用端末装置１００のＧＰＳ機能に基づいて検出し、または、携帯用端末装置１００が撮像カメラ部１０３によって施設内の所定の場所に仮想的に設けられたタグＴａｇをクリックしたことを検出してスタンプ情報を携帯用端末装置１００に配信する。なお、スタンプ情報の配信は、２次元バーコードに基づいてスタンプ情報が配信される方法と同様な方法によって実行される。
【０２０６】
また、本実施形態の携帯用端末装置１００は、上述のように、管理サーバ装置３００によって算出されたスタンプ情報取得状況情報を取得すると、撮像カメラ部１０３が撮像している被写範囲１０にタグＴａｇを表示するようになっているが、このときに、表示するタグＴａｇの表示を制限するようにしてもよい。例えば、タグＴａｇを表示する携帯用端末装置１００（上述の表示要求を行った携帯用端末装置１００）から半径１０ｍ以内など予め定められた距離範囲に存在する他の携帯用端末装置１００、または、１００台など予め定められた規定数の他の携帯用端末装置１００を表示するためのタグＴａｇを携帯用端末装置１００に表示するようにしてもよい。
【０２０７】
この場合には、管理サーバ装置３００のスタンプ情報取得状況提供処理部３３２は、表示要求を行った携帯用端末装置１００における基準点及び撮像方向に基づいて他の携帯用端末装置１００を検出する際に、基準点から予め定められた距離的範囲に属する他の携帯用端末装置１００を検出し、または、予め定められた規定数以上の他の携帯用端末装置１００が検出された場合にランダムに検出された携帯用端末装置１００の数を規定数まで制限し、当該表示要求を行った携帯用端末装置１００におけるスタンプ情報取得状況情報を算出する。そして、表示要求を行った携帯用端末装置１００は、このように算出されたスタンプ情報取得状況情報に基づいて撮像カメラ部１０３が撮像している被写領域１０内にタグＴａｇを表示する。
【０２０８】
また、携帯用端末装置１００同士、携帯用端末装置１００とスタンプ端末装置２００、携帯用端末装置１００と管理サーバ装置３００、スタンプ端末装置２００及び管理サーバ装置の通信は、上述した通信方式に限らず、装置間においてデータの授受が行えるものであれば、特に、限定されない。
【産業上の利用可能性】
【０２０９】
本発明のスタンプラリー支援システムＳは、インターネットなどのネットワークＮを用いてスタンプラリーなどの店舗、アミューズメント施設または所定の地域内など、所定の領域内で参加者に特典を提供するイベントを実施する際に用いることができる。
【符号の説明】
【０２１０】
Ｂ  …  バス
ＦＮ  …  有線ネットワーク
ＷＮ  …  無線ネットワーク
Ｓ  …  スタンプラリー支援システム
ＢＳ  …  基地局
ＡＴ  …  アンテナ
Ｔａｇ  …  タグ
１００  …  携帯用端末装置
１０１  …  端末用通信インターフェース
１０２  …  データ記憶部
１０３  …  撮像カメラ部
１０４  …  表示部
１０５  …  表示制御部
１０６  …  現在位置検出部
１０７  …  方向検出部
１０８  …  操作部
１０９  …  ＲＯＭ／ＲＡＭ
１１０  …  端末管理制御部
１２０  …  端末用データ処理部
１２１  …  一次スタンプ情報取得処理部
１２２  …  すれ違い通信制御部
１２３  …  二次スタンプ情報提供処理部
１２４  …  二次スタンプ情報取得処理部
１２５  …  スタンプ情報管理部
１２６  …  周囲スタンプ情報表示処理部
２００  …  スタンプ端末装置
３００  …  管理サーバ装置
３１０  …  サーバ用通信インターフェース
３２０  …  データベース
３３０  …  サーバ用データ処理部
３３１  …  端末装置管理部
３３２  …  スタンプ情報取得状況提供処理部
３３３  …  クーポン情報管理部
【図１】
0005589505.tif 000002
【図２】
0005589505.tif 000003
【図３】
0005589505.tif 000004
【図４】
0005589505.tif 000005
【図５】
0005589505.tif 000006
【図６】
0005589505.tif 000007
【図７】
0005589505.tif 000008
【図８】
0005589505.tif 000009
【図９】
0005589505.tif 000010
【図１０】
0005589505.tif 000011
【図１１】
0005589505.tif 000012